(57)【特許請求の範囲】
【請求項１】
トレーサー組成物であって、
水性の均一混合物であって、
水不溶性フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分散される、フルオロフォアと、
前記フルオロフォアに関する前記特徴的な励起波長を含む同じ電磁放射線に露光されたときに、前記第１の蛍光発光スペクトルとは異なる特徴的な発光波長、又はフルオロフォアに関する特徴的な発光波長においてより低い発光強度を示す第２の蛍光発光スペクトルを有する水溶性物質であって、前記混合物全体にわたって溶液中に均一に混合され、苦味剤、水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、水溶性物質と、を含む、水性の均一混合物、を含む、前記トレーサー組成物。
【請求項２】
トレーサー組成物であって、
均一混合物であって、
水不溶性フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分散される、フルオロフォアと、
前記フルオロフォアに関する前記特徴的な励起波長を含む同じ電磁放射線に露光されたときに、前記第１の蛍光発光スペクトルとは異なる特徴的な発光波長、又はフルオロフォアに関する特徴的な発光波長においてより低い発光強度を示す第２の蛍光発光スペクトルを有する水溶性物質であって、前記混合物全体にわたって溶液中に均一に混合され、苦味剤、水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、水溶性物質と、
前記水不溶性フルオロフォア及び前記水溶性物質のための媒体として水及び水混和性溶媒のうちの少なくとも１つと、を含む、均一混合物、を含む、前記トレーサー組成物。
【請求項３】
前記水溶性物質及び水溶性フルオロフォア類似体が、水性媒体内で組み合わされる場合、不適合混合物を形成するであろう、請求項１または２に記載の前記組成物。
【請求項４】
前記水不溶性フルオロフォアが、乳濁液として前記混合物全体にわたって均一に分散される、請求項１〜３のいずれかに記載の前記組成物。
【請求項５】
前記水溶性物質が苦味剤を含む、請求項１〜４のいずれかに記載の前記組成物。
【請求項６】
前記苦味剤が、デナトニウム塩、オクタアセチルスクロース、キニーネ、ケルセチン、ナリンゲン、ブルシン、クアシン、及びそれらの組み合わせからなる群より選択される、請求項５に記載の前記組成物。
【請求項７】
前記苦味剤が安息香酸デナトニウムを含む、請求項５に記載の前記組成物。
【請求項８】
前記水溶性物質が、水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、請求項１〜４のいずれかに記載の前記組成物。
【請求項９】
前記フルオロフォアが有機フルオロフォアを含む、請求項１〜８のいずれか一項に記載の前記組成物。
【請求項１０】
前記フルオロフォアが無機フルオロフォアを含む、請求項１〜８のいずれか一項に記載の前記組成物。
【請求項１１】
前記特徴的な励起波長が、紫外線光スペクトル内にあり、
前記特徴的な発光波長が、可視光スペクトル内にある、請求項１〜１０のいずれか一項に記載の前記組成物。
【請求項１２】
前記フルオロフォア及び前記水溶性物質が、既知の所定の比で前記組成物中に存在する、請求項１〜１１のいずれか一項に記載の前記組成物。
【請求項１３】
水溶性ポリマー組成物であって、
固体混合物であって、
水溶性ポリマーと、
フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分布される、フルオロフォアと、
前記フルオロフォアに関する前記特徴的な励起波長を含む前記電磁放射線に露光されたときに、前記第１の蛍光発光スペクトルとは異なる特徴的な発光波長、又はフルオロフォアに関する特徴的な発光波長においてより低い発光強度を示す第２の蛍光発光スペクトルを有する物質であって、前記混合物全体にわたって均一に分布され、苦味剤、追加の水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、物質と、を含む、固体混合物を含み、
前記水溶性ポリマー組成物が、水中に溶解及び混合されて溶解組成物を形成した時に、前記フルオロフォアが、前記溶解組成物全体にわたって均一に分布されたままである、前記水溶性ポリマー組成物。
【請求項１４】
前記フルオロフォア及び前記物質の少なくとも１つが、水不溶性であり、前記溶解組成物全体にわたって均一に分散されたままであり、
前記固体混合物が、前記少なくとも１つの水不溶性フルオロフォア又は物質を前記溶解組成物全体にわたって均一に分散された乳濁液として維持する乳化剤をさらに含む、請求項１３に記載の前記組成物。
【請求項１５】
前記水溶性ポリマーが、ポリビニルアルコール、ポリエチレンイミン、ポリビニルピロリドン、ポリアルキレンオキシド、ポリアクリルアミド、セルロースエーテル、セルロースエステル、セルロースアミド、ポリビニルアセテート、ポリアミド、ゼラチン、メチルセルロース、カルボキシメチルセルロース及びそれらの塩、デキストリン、エチルセルロース、ヒドロキシエチルセルロース、ヒドロキシプロピルメチルセルロース、マルトデキストリン、それらのコポリマー、それらのブレンド物、ならびにそれらの組み合わせからなる群より選択される、請求項１３または１４に記載の前記組成物。
【請求項１６】
前記水溶性ポリマーがポリビニルアルコールを含む、請求項１３または１４に記載の前記組成物。
【請求項１７】
前記物質が苦味剤を含む、請求項１３〜１６のいずれかに記載の前記組成物。
【請求項１８】
前記苦味剤が、デナトニウム塩、オクタアセチルスクロース、キニーネ、ケルセチン、ナリンゲン、ブルシン、クアシン、及びそれらの組み合わせからなる群より選択される、請求項１７に記載の前記組成物。
【請求項１９】
前記苦味剤が安息香酸デナトニウムを含む、請求項１７に記載の前記組成物。
【請求項２０】
前記物質が、追加の水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、請求項１３〜１６のいずれかに記載の前記組成物。
【請求項２１】
前記フルオロフォアが有機フルオロフォアを含む、請求項１３〜２０のいずれか一項に記載の前記組成物。
【請求項２２】
前記フルオロフォアが無機フルオロフォアを含む、請求項１３〜２０のいずれか一項に記載の前記組成物。
【請求項２３】
前記特徴的な励起波長が、紫外線光スペクトル内にあり、
前記特徴的な発光波長が、可視光スペクトル内にある、請求項１３〜２２のいずれか一項に記載の前記組成物。
【請求項２４】
前記水溶性ポリマー組成物が、水溶性フィルムの形態にある、請求項１３〜２３のいずれか一項に記載の前記組成物。
【請求項２５】
複数の水溶性ポリマー組成物であって、
請求項１３〜２４のいずれか一項に記載の２つ以上の水溶性ポリマー組成物を含み、
各水溶性ポリマー組成物が、少なくとも１つの態様において、互いに異なる水溶性ポリマー組成物であり、
各水溶性ポリマー組成物が、同じフルオロフォア及び同じ物質を含む、前記複数の水溶性ポリマー組成物。
【請求項２６】
内部容器容積を画定する容器の形態にある、請求項１３〜２４のいずれか一項に記載の水溶性ポリマー組成物と、
前記内部容器容積内に含有される組成物と、を含む、物品。
【請求項２７】
前記組成物が洗浄用組成物を含む、請求項２６に記載の前記物品。
【請求項２８】
前記組成物が洗剤組成物を含む、請求項２６に記載の前記物品。
【請求項２９】
前記水溶性ポリマー組成物が、水溶性フィルムの形態にあり、
前記容器が、水溶性パウチの形態にある、請求項２６〜２８のいずれか一項に記載の前記物品。
【請求項３０】
水溶性ポリマー組成物を形成するための方法であって、
請求項１〜１２のいずれか一項に記載の水溶性ポリマー及びトレーサー組成物を混合して、ポリマー−フルオロフォア−物質ブレンド物を形成することと、
前記ポリマー−フルオロフォア−物質ブレンド物を固体水溶性ポリマー組成物に形成することであって、前記フルオロフォア及び前記物質が、前記水溶性ポリマー組成物全体にわたって均一に分布される、形成することと、を含む、前記方法。
【請求項３１】
水溶性ポリマー組成物を形成するための方法であって、
水溶性ポリマー及びトレーサー組成物を混合して、ポリマー−フルオロフォア−物質ブレンド物を形成することであって、前記トレーサー組成物が、均一混合物であって、
フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分布される、フルオロフォアと、
前記フルオロフォアに関する前記特徴的な励起波長を含む前記電磁放射線に露光されたときに、前記第１の蛍光発光スペクトルとは異なる特徴的な発光波長、又はフルオロフォアに関する特徴的な発光波長においてより低い発光強度を示す第２の蛍光発光スペクトルを有する物質であって、前記混合物全体にわたって均一に分布され、苦味剤、追加の水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、物質と、を含む、均一混合物を含む、形成することと、
前記ポリマー−フルオロフォア−物質ブレンド物を固体水溶性ポリマー組成物に形成することであって、前記フルオロフォア及び前記物質が、前記水溶性ポリマー組成物全体にわたって均一に分布される、形成することと、を含む、前記方法。
【請求項３２】
フルオロフォアを検出するための方法であって、
請求項１３〜２４のいずれか一項に記載の水溶性ポリマー組成物または請求項２６〜２９のいずれか一項に記載の物品を提供することと、
前記組成物または物品を、前記フルオロフォアに関する前記特徴的な励起波長を含む入射電磁放射線に露光することと、
前記組成物または物品から発光された電磁放射線を検出することであって、前記発光された電磁放射線が、前記フルオロフォアの前記少なくとも１つの特徴的な発光波長に相当し、前記特徴的な発光波長の陽性検出が、前記物質が前記組成物または物品内に存在することを示唆する、検出することと、を含む、前記方法。
【請求項３３】
前記組成物または物品を入射電磁放射線に露光することが、
前記水溶性ポリマー組成物または物品の少なくとも一部分を水中に溶解して、溶解組成物を形成することと、
前記溶解組成物を前記フルオロフォアに関する前記特徴的な励起波長を含む前記入射電磁放射線に露光して、前記発光された電磁放射線を生成することと、を含む、請求項３２に記載の前記方法。
【発明の詳細な説明】
【技術分野】
【０００１】
本開示は、概して、蛍光トレーサー組成物、及び中にある１つ以上の構成成分をトレースするための蛍光化合物を含有する水溶性ポリマー組成物に関する。より具体的には、本開示は、水溶性フィルムなどの水溶性ポリマー組成物中に組み込まれるフルオロフォア及び苦味剤嫌忌構成成分を含む、蛍光トレーサー組成物に関する。
【背景技術】
【０００２】
フィルムなどの水溶性ポリマー組成物は、水溶性ポリマー（例えば、ポリビニルアルコール（ＰＶＯＨ））、可塑剤、及び様々な他の添加剤などの様々な構成成分を含む。そのような組成物は、送達される物質の分散、注ぎ入れ、溶解、及び注入を簡略化するために包装材として広く使用される。例えば、水溶性フィルムから作製されるパケットは、例えば、洗濯または食器洗剤を含有するパウチとして、家事用組成物を包装するために広く使用される。消費者は、このパウチをバケツ、流し台、または洗濯機などの混合用容器に直接追加することができる。有利に、これは、消費者が組成物を測定する必要性を排除しながら、正確な注入量を提供する。このパウチはまた、液体洗濯洗剤をボトルから注ぐことなど、同様の組成物を容器から分注することに関連した失敗を減少させ得る。このパウチはまた、その中の組成物が使用者の手に接触しないようにする。要するに、事前に測定された薬剤を含有する可溶性ポリマーのフィルムパケットは、様々な用途において消費者使用の利便性を提供する。
【０００３】
水溶性ポリマー組成物の様々な構成成分を定性的に検出すること、または定量的に測定することは、特に、フィルムなどの固体物質に形成された後には、困難であり得る。そのような組成物は、ＨＰＬＣ（高圧液体クロマトグラフィー）及びＧＰＣ（ゲル浸透クロマトグラフィー）などの分析ツールを使用して分析することが困難であり得るため、それらの構成成分の分離及び分析は、より大きな労働力を要する方法で達成されなければならない。定量的分析前のソックスレー抽出などの複雑な分離方法が可能であり得るが、そのようなプロセスは、特に工業規模での迅速な品質試験においては、時間がかかり、実現困難である。
【０００４】
特に、安全性または性能の理由から、特定の構成成分が、組成物中に所望の濃度で定性的に存在する、及び／または定量的に組み込まれていることを実証することが重要である場合、水溶性ポリマー組成物構成成分のための改善された定性的及び定量的な分析的検出技術の必要性が依然としてある。
【発明の概要】
【０００５】
本開示は、概して、蛍光トレーサー組成物、及びポリマー組成物中の１つ以上の構成成分をトレースするための蛍光化合物を含有する水溶性ポリマー組成物に関する。より具体的には、一実施形態において、本開示は、水溶性フィルムなどの水溶性ポリマー組成物中に組み込まれるフルオロフォア及び苦味剤嫌忌構成成分を含む蛍光トレーサー組成物に関する。苦味剤などの嫌忌化合物は、望ましくは、子どもまたは動物によるポリマー組成物（またはそれから作製された物品）の摂取に対する抑止物質としてポリマー組成物中に組み込まれる。ポリマー組成物中のフルオロフォアの定性的または定量的検出は、ポリマー組成物中の対応するトレース物質、例えば、苦味剤嫌忌構成成分の定性的または定量的検出と相関があり得る。
【０００６】
開示される組成物及び方法は、水溶性ポリマー組成物中の１つ以上の構成成分（例えば、苦味剤）の検出及び定量について、例えば品質保証の目的で、例えば、そのような構成成分が標準の分析ツールを使用して測定可能ではないときに、上に記される問題に対処する。開示される組成物及び方法は、検出されるまたは定量化される物質のためのトレーサーとしてフルオロフォアを組み込むことによって、この問題を解決する。フルオロフォアは、様々な光学的方法（例えば、人間による目視観察、または分光高度定量）によって正確かつ容易に検出及び／または測定され得るレベルで組み込まれる。フルオロフォア及びトレース物質が、既知の比で組み込まれるとき、フルオロフォアの定量的検出及び測定は、トレース物質の定量的検出及び測定と相関があり得る。
【０００７】
本発明者らによる過去の失敗に終わった試みとしては、標的物質のためのトレーサーとしてＰＶＯＨ溶液内に様々な紫外線（ＵＶ）吸収体を組み込んだことが挙げられる。ＰＶＯＨ溶液のＵＶ吸収率は、ＵＶ−Ｖｉｓ分光計によって測定されて、標的物質を検出することができると考えられた。しかしながら、ＰＶＯＨ溶液自体がＵＶ光に対して吸収性があり、トレーサーＵＶ吸収体の組み込みの必要なレベルが高すぎて実用的ではなかったため、この方法は失敗であることが証明された。加えて、トレーサーＵＶ吸収体濃度の変化に対する感受性が低すぎたため、測定可能であるには１０％を超える濃度変化が必要とされた。今度はこれが、１０％未満の標的物質濃度の変化を、信頼性をもって測定することができない原因となり、それは一部の用途には十分に正確ではない。
【０００８】
水溶性ポリマー組成物中のデナトニウム苦味剤をトレースする特定の用途のための本発明者らによる他の試みとしては、フィルム配合物内に水溶性フルオロフォアトレーサーを使用したことが挙げられる。安息香酸デナトニウム苦味剤付与剤とフルオロフォアトレーサー（スルホン酸基で水溶性にされた官能基化ジスチリルビフェニル）との化学的不適合が原因で、これらの試みは失敗であった。この不適合性は、デナトニウムの陽イオンの性質とフルオロフォアの陰イオンの性質との相互作用に起因した。具体的には、水溶性を浸透させるために多くの他の不溶性光学的増白剤フルオロフォアに添加される陰イオンスルホン酸基が、デナトニウムの陽イオン部分と反応して、不溶性塩を形成した。この反応は、場合によっては、ほぼ一瞬であり、白色沈殿物をもたらす。大半の水溶性光学的増白剤フルオロフォアは、水溶性を浸透させるために何らかの形態の陰イオンペンダント基を利用する。そのようなペンデント基を保有しない他の光学的増白剤フルオロフォアは、わずかに水溶性であるか、またはめったに合成できない、もしくは合成するのが困難であるかのいずれかであるため、非実用的かつ非常に高価である。何らかの形態の陰イオン官能基化がなければ、フルオロフォアは、強いＵＶ光吸収を可能にさせる多くの共役環を保有するが、代わりに分子が極性をほとんど保有せず、故に水と混ざらないため、一般的に水に不溶である。
【０００９】
一態様において、本開示は、水不溶性フルオロフォアを含むトレーサー組成物を、フルオロフォアによってトレースされる水溶性物質（例えば、デナトニウム苦味剤などの苦味剤）と組み合わせて提供することによって、上記の問題に対処する。フルオロフォアは、蛍光分光法を手段として、固体ポリマー組成物または同様のものを含有する水性組成物中で容易に検出及び測定され得る。水不溶性フルオロフォア（例えば、非反応性及び／または非イオン的官能基化フルオロフォア）は、好適な乳化剤の助けを借りて乳濁液として水性組成物全体にわたって均一に分布され得る。乳化は、反応または他の不適合性なく（例えば、その陽イオン構成成分と反応する可能性のある陰イオンフルオロフォアがないことに基づいて）、トレース物質（例えば、デナトニオウム苦味剤）及び／または他の水溶性ポリマー組成物構成成分を含む水性組成物にフルオロフォアを添加することを可能にする。好適には、フルオロフォア及びトレース物質は、フルオロフォア及びトレース物質の混合物として、及びフルオロフォア及びトレース物質の所定の既知の比で、ポリマー組成物に添加される。これは、２つの物質が、同時に、及び所望の比で添加されることを確実にし、故に、トレース物質の定量的検出と相関があるフルオロフォアのトレース及び定量的検出を可能にする。
【００１０】
フルオロフォア検出のための試料調製は、最小限かつ高速であり、それは迅速な製造品質試験及び検証には理想的である。一実施形態において、水溶性ポリマー組成物は、それが水溶液（例えば、流延溶液）、固体部、またはフィルムの形態にあるにしろ、脱イオン水を使用して、特定の重量％固体レベルまで溶解／希釈される。使用される希釈係数は、例えば、組成物中のフルオロフォアの濃度及び測定されるポリマー物質の特定の性質に依存し得る。一実施形態において、試料は、発光された光子の反応停止を低減するのに十分なほどに希釈されるが、分光計によって検出可能であると見なされる十分に高い光子を産出するのに十分なほどに濃縮される。フルオロフォア、及びそれに応じてトレース物質の迅速かつ正確な分光光度検出は、フルオロフォアによってトレースされる物質の所望の充填レベルを確実にする迅速な品質監視システムにおいて特に望ましい。様々な実施形態において、そのような迅速な品質監視は、インライン（例えば、直接、製品生産流路内で分光光度試験などの試験をすること）またはオフライン（例えば、同じ中間または最終地で生産流路から取り出された製品試料を試験すること）で実施され得る。
【００１１】
開示される組成物及び方法は、高レベルの感受性、正確性、及び化学的適合性を提供するように設計され得る。本アプローチは、費用を増大しないように、または望ましくないやり方でＰＶＯＨ物質の外観を変更しないように、フルオロフォアの濃度を低く保つことを可能にする。これは、透過ＵＶ−Ｖｉｓ分光法を使用したときに低い感受性を呈する、トレーサー物質としてのＵＶ吸収体の使用における改善である。この方法はまた、高レベルのトレーニングだけでなく、２つの物質を効果的に分離するには多くの時間を必要とする精巧な試験装置も要するソックスレー抽出などの分離法よりもはるかに速く、かつ容易である。それ以上に、ソックスレー抽出法または同様のものの使用は、依然としてＨＰＬＣまたはＧＰＣの使用を介した化学的分析を必要とし、そのどちらも、実施には高レベルのトレーニングを必要とし、分析をさらに複雑かつ損ない得るカラム充填剤との相互作用に供される。
【００１２】
本開示の一態様は、フルオロフォアに関する特徴的な励起波長を含む電磁放射線に露光されたときに、少なくとも１つの特徴的な発光波長を含む第１の蛍光発光スペクトルを有する水不溶性フルオロフォアであって、混合物全体にわたって均一に分散されるフルオロフォアと、フルオロフォアに関する特徴的な励起波長を含む同じ電磁放射線に露光されたときに、第１の蛍光発光スペクトルとは明確に異なる第２の蛍光発光スペクトルを有する水溶性物質であって、混合物全体にわたって溶液中に均一に混合される水溶性物質とを含む水性の均一混合物を含むトレーサー組成物に関する。
【００１３】
本開示の別の態様は、フルオロフォアに関する特徴的な励起波長を含む電磁放射線に露光されたときに、少なくとも１つの特徴的な発光波長を含む第１の蛍光発光スペクトルを有する水不溶性フルオロフォアであって、混合物全体にわたって均一に分散されるフルオロフォアと、フルオロフォアに関する特徴的な励起波長を含む同じ電磁放射線に露光されたときに、第１の蛍光発光スペクトルとは明確に異なる第２の蛍光発光スペクトルを有する水溶性物質であって、混合物全体にわたって溶液中に均一に混合される水溶性物質と、水不溶性フルオロフォア及び水溶性物質のための媒体として水及び水混和性溶媒のうちの少なくとも１つとを含む均一混合物を含むトレーサー組成物に関する。
【００１４】
本開示の別の態様は、水溶性ポリマー組成物であって、水溶性ポリマーと、フルオロフォアに関する特徴的な励起波長を含む電磁放射線に露光されたときに少なくとも１つの特徴的な発光波長を含む第１の蛍光発光スペクトルを有するフルオロフォアであって、混合物全体にわたって均一に分散されるフルオロフォアと、フルオロフォアに関する特徴的な励起波長を含む電磁放射線に露光されたときに、第１の蛍光発光スペクトルとは明確に異なる第２の蛍光発光スペクトルを有する物質であって、混合物全体にわたって均一に混合される物質とを含む固体混合物を含み、水溶性ポリマー組成物が水中に溶解及び混合されて溶解組成物を形成するとき、フルオロフォアが溶解組成物全体にわたって均一に分布されたままである、水溶性ポリマー組成物に関する。
【００１５】
本開示の別の態様は、複数の水溶性ポリマー組成物であって、様々に開示される実施形態のうちのいずれかの２つ以上の水溶性ポリマー組成物を含み、各水溶性ポリマー組成物が、少なくとも一態様において、互いに異なる水溶性ポリマー組成物であり、各水溶性ポリマー組成物が同じフルオロフォア及び同じトレース物質を含む、複数の水溶性ポリマー組成物に関する。
【００１６】
本開示の別の態様は、内部容器容積を画定する容器の形態にある、様々に開示される実施形態のいずれかの水溶性ポリマー組成物と、該内部容器容積内に含有される組成物とを含む物品に関する。
【００１７】
本開示の別の態様は、水溶性ポリマー組成物を形成するための方法であって、様々に開示される実施形態のいずれかの水溶性ポリマー及びトレーサー組成物を混合して、ポリマー−フルオロフォア−物質ブレンド物を形成することと、該ポリマー−フルオロフォア−物質ブレンド物を固体水溶性ポリマー組成物に形成することであって、フルオロフォア及び物質が水溶性ポリマー組成物全体にわたって均一に分布される、形成することと、を含む方法に関する。
【００１８】
本開示の別の態様は、水溶性ポリマー組成物を形成するための方法であって、水溶性ポリマー及びトレーサー組成物を混合して、ポリマー−フルオロフォア−物質ブレンド物を形成することであって、トレーサー組成物が、均一混合物であって、フルオロフォアに関する特徴的な励起波長を含む電磁放射線に露光されたときに、少なくとも１つの特徴的な発光波長を含む第１の蛍光発光スペクトルを有するフルオロフォアであって、混合物全体にわたって均一に分布されるフルオロフォアと、フルオロフォアに関する特徴的な励起波長を含む電磁放射線に露光されたときに、第１の蛍光発光スペクトルとは明確に異なる第２の蛍光発光スペクトルを有する物質であって、混合物全体にわたって均一に分布される物質とを含む均一混合物を含む、形成することと、ポリマー−フルオロフォア−物質ブレンド物を固体水溶性ポリマー組成物に形成することであって、フルオロフォア及び物質が、水溶性ポリマー組成物全体にわたって均一に分布される、形成することと、を含む方法に関する。
【００１９】
本開示の別の態様は、フルオロフォアを検出するための方法であって、水溶性ポリマー組成物を提供すること、または様々に開示される実施形態のいずれかに従って提供することと、組成物または物品をフルオロフォアに関する特徴的な励起波長を含む入射電磁放射線に露光することと、発光された電磁放射線を組成物または物品から検出することであって、該発光された電磁放射線が、フルオロフォアのための少なくとも１つの特徴的な発光波長に相当し、特徴的な発光波長の陽性検出が、該物質が組成物または物品内に存在することを示唆する、検出することと、を含む方法に関する。
【００２０】
様々な実施形態の特定の改良において、フルオロフォアは、水不溶性であり（例えば、トレーサー組成物または溶解された水溶性ポリマー組成物全体にわたって均一に分散されたままである）、物質は、水溶性である（例えば、トレーサー組成物または溶解された水溶性ポリマー組成物全体にわたって溶液中に均一に混合されたままである）。様々な実施形態の別の改良において、フルオロフォアは、水溶性であり（例えば、トレーサー組成物または溶解された水溶性ポリマー組成物全体にわたって溶液中に均一に混合されたままである）、物質は、水不溶性である（例えば、トレーサー組成物または溶解された水溶性ポリマー組成物全体にわたって均一に分散されたままである）。様々な実施形態の別の改良において、フルオロフォア及び物質は、水溶性である（例えば、トレーサー組成物または溶解された水溶性ポリマー組成物全体にわたって溶液中に均一に混合されたままである）。様々な実施形態の別の改良において、フルオロフォア及び物質は、水不溶性である（例えば、トレーサー組成物または溶解された水溶性ポリマー組成物全体にわたって均一に分散されたままである）。
【００２１】
さらなる態様及び利点は、以下の詳細説明及び添付の図面の検討から当業者には明白である。本組成物及び方法は、様々な形態にある実施形態が可能であるが、今後の説明は、本開示は例証的であり、本発明を本明細書に記載される特定の実施形態に限定することを目的としないという了解の下で特定の実施形態を含む。
【００２２】
様々な開示される方法、プロセス、組成物、及び物品の以下の詳細説明は、添付の図面を参照する。
【図面の簡単な説明】
【００２３】
【図１Ａ】本開示に従うフルオロフォア及び他の水溶性ポリマー組成物構成成分に関する明確に異なる蛍光発光スペクトルの例を定性的に例証するグラフである。
【図１Ｂ】本開示に従うフルオロフォア及び他の水溶性ポリマー組成物構成成分に関する明確に異なる蛍光発光スペクトルの例を定性的に例証するグラフである。
【図２】本開示に従う組成物の送達のための水溶性パウチ物品の垂直断面図である。
【図３】フルオロフォアの存在及び非存在下での蛍光発光スペクトルポリビニルアルコール溶液を例証するグラフである。
【図４】本開示に従うポリビニルアルコールフィルム内に組み込まれるフルオロフォア濃度の関数としての蛍光発光強度の濃度依存性を例証するグラフである。
【発明を実施するための形態】
【００２４】
蛍光トレーサー組成物、及び中にある１つ以上の構成成分をトレースするための蛍光化合物を含有する水溶性ポリマー組成物が、本明細書に開示される。より具体的には、本開示は、（例えば、水溶性フィルムとして）水溶性ポリマー組成物中に組み込まれるフルオロフォア及び苦味剤嫌忌構成成分などのトレース物質を含む、蛍光トレーサー組成物に関する。本明細書内で使用される場合、「トレース物質」とは、少なくとも１つのフルオロフォアと組み合わせて、様々に開示される組成物に添加される、及びそれにおいて使用される物質である。フルオロフォア及びトレース物質を併せて使用することによって、２つの構成成分の結果として生じる相関は、組成物（例えば、トレーサー組成物、固体水溶性ポリマー組成物、溶解された水溶性ポリマー組成物）中のフルオロフォアの定性的または定量的検出が、組成物中の対応するトレース物質の定性的または定量的検出と相関があり得るように利用され得る。下記の開示は、概して、フルオロフォア及びトレース物質の混合物を説明するが、単一のフルオロフォアが、同じ組成物（例えば、トレーサー組成物、水溶性ポリマー組成物、同じものから形成される溶解された水溶性ポリマー組成物）中の１つを超えるトレース物質のためのトレーサーとしても使用され得ることが特に企図される。別の実施形態において、複数のフルオロフォアが、同じ組成物（例えば、トレーサー組成物、水溶性ポリマー組成物、同じものから形成される溶解された水溶性ポリマー組成物）中の複数のトレース物質をトレースするために使用され得ることが特に企図される。
【００２５】
本開示に従うトレーサー組成物は、混合物（例えば、水及び／または水混和性溶媒などの液体媒体内）全体にわたって均一に分布されるフルオロフォア及びトレース物質を含む均一混合物の形態にある。好適には、トレーサー組成物は、フルオロフォア及びトレース物質の水性の均一混合物の形態にある。フルオロフォア及びトレース物質は、フルオロフォアの蛍光検出、及びフルオロフォアの蛍光検出のトレース物質の検出との相関を促進するために明確に異なる蛍光発光スペクトルを有する。
【００２６】
フルオロフォア及びトレース物質は、例えば、フルオロフォア及びトレース物質の特定の溶解度特性によって、好適な様式でトレーサー組成物全体にわたって均一に分布される。例えば、フルオロフォア及び／またはトレース物質は、水不溶性であり得、トレーサー組成物全体にわたって均一に分散されたままであり得る（例えば、乳化剤を含めて安定した乳濁液として）。同様に、フルオロフォア及び／またはトレース物質は、水溶性であり得、トレーサー組成物全体にわたって溶液中に均一に混合されたままであり得る（例えば、溶解された構成成分として）。フルオロフォア及びトレース物質の安定した、相溶性のある混合物（例えば、それら両方が、沈殿、沈降、反応、及び／または相分離などせずに、トレーサー組成物全体にわたって均一に分布されたままである）を提供する、溶解度特質の任意の特定の組み合わせが選択され得る。例えば、具体的な可能な組み合わせとしては、（ｉ）水溶性フルオロフォア及び水不溶性トレース物質、（ｉｉ）水不溶性フルオロフォア及び水溶性トレース物質、（ｉｉｉ）水溶性フルオロフォア及び水溶性トレース物質、ならびに（ｉｖ）水不溶性フルオロフォア及び水不溶性トレース物質（例えば、不溶性構成成分のために所望される場合、１つ以上の乳化剤を任意に含めて）が挙げられる。
【００２７】
先に述べたように、フルオロフォア及びトレース物質は、（例えば、ある程度の蛍光活性を有する可能性のあるトレース物質からの過度の干渉なしに）フルオロフォアの蛍光検出を促進するために明確に異なる蛍光発光スペクトルを有する。より一般的には、フルオロフォアは、それが組み込まれるトレーサー組成物及び／または水溶性ポリマー組成物の全ての他の構成成分のものとは明確に異なる（例えば、ここでは、他の組成物構成成分は、いくらか干渉する可能性のあるレベルの蛍光活性を別途有し得る）蛍光発光スペクトルを有する。フルオロフォアは、一般的には、フルオロフォアに関する特徴的な励起波長で電磁放射線に露光されるときに、少なくとも１つの特徴的な発光波長を有する第１の蛍光発光スペクトルを有すると特徴付けられる。同様に、トレース物質は、第２の蛍光発光スペクトルを有すると特徴付けられる。第２の蛍光発光スペクトルは、フルオロフォアに関する特徴的な励起波長で電磁放射線に露光されたときに、第１の蛍光発光スペクトルとは明確に異なる。発光スペクトルは、例えば、他のスペクトル（例えば、トレース物質または非フルオロフォアスペクトル）と比較して、１つのスペクトル（例えば、フルオロフォアスペクトル）内で、特定の波長における十分な発光強度を前提として（例えば、特定の波長での強度対波長曲線におけるピーク）、明確に異なり得る。極端な場合、トレース物質（または他の組成物構成成分）は、一般的に、またはフルオロフォアの励起波長において、本質的に非蛍光性であるため、発光強度対波長は、第２の蛍光発光スペクトル（すなわち、故に測定可能な第１の蛍光発光スペクトル信号とは明確に異なる）では本質的にゼロである。より一般的には、トレース物質（または他の組成物構成成分）は、いくらかの蛍光活性を有する場合がある。この場合、フルオロフォアの特徴的な発光波長におけるフルオロフォア発光強度は、特定の波長におけるトレース物質発光強度よりも少なくとも２、５、１０、２０、５０、または１００倍以上高いことが望ましい。スペクトルはまた、少なくとも２つ、またはそれ以上の異なる波長における発光強度間の異なる相対比率に基づいて明確に異なり得る。
【００２８】
図１Ａ及び１Ｂは、フルオロフォアの第１の蛍光発光スペクトルＡが、別の物質（例えば、トレース物質または他の組成物構成成分）の第２の蛍光発光スペクトルＢまたはＣと明確に異なり得る、異なる形を定性的に例証する。図１Ａに例証されるように、フルオロフォア発光スペクトルＡは、波長λ1において（例えば、ここでは、λ1が、フルオロフォア定量のための好適な検出波長である）、特徴的な（例えば、ピーク）発光強度Ｉを有する。発光スペクトルＢは、異なる波長λ2（例えば、十分な蛍光発光を用いて異なる物質または単純に別の（非トレース）組成物構成成分をトレースする異なるフルオロフォアを表す）において著しい蛍光発光を有するが、スペクトルＡ及びＢは、スペクトルＢがフルオロフォアに関する特徴的な波長λ1において本質的に発光強度を有しないため、明確に異なる。同様に、発光スペクトルＣは、波長λ1において（特徴的なフルオロフォアピークに相当する）いくらかの蛍光発光を有するが、スペクトルＡ及びＣは、スペクトルＣがフルオロフォアに関する特徴的な波長λ1において実質的により低い発光強度を有するため（例えば、例証されるように、ＩA（λ1）／ＩC（λ1）は約１６である）、明確に異なる。図１Ｂに例証されるように、フルオロフォア発光スペクトルＡは、波長λ1及びλ2において（例えば、ここでは、λ1及びλ2の両方のうちのいずれかがフルオロフォア定量のための好適な検出波長である）、２つの特徴的な発光ピークを有する。発光スペクトルＢは、波長λ1及びλ2において（例えば、異なる物質をトレースする異なるフルオロフォアを表す）、著しい蛍光活性を有するが、スペクトルＡ及びＢは、２つの強度が各物質において測定可能に明確に異なるため（例えば、例証されるように、ＩA（λ1）／ＩA（λ2）は約２．４であるが、ＩB（λ1）／ＩB（λ2）は約０．６である）、明確に異なる。
【００２９】
本開示に従う水溶性ポリマー組成物は、下記の他の共通成分の中でも、固体混合物全体にわたって均一に分布されるフルオロフォア及びトレース物質を含む固体混合物（例えば、フィルム、パウチ、または他の形態もしくは物品）の形態にあり得る。フルオロフォア及びトレース物質は、上記のように明確に異なる蛍光発光スペクトルを有する。水溶性ポリマー組成物が水中に溶解及び混合されて溶解組成物を形成するとき、フルオロフォア及びトレース物質は、溶解組成物全体にわたって均一に分布されたままである。つまり、トレーサー組成物中でのそれらの作用と同様に、ポリマー組成物が水中に溶解されるとき、フルオロフォア及びトレース物質は、安定した、相溶性のある混合物を形成する。フルオロフォアが溶解組成物中で信頼性をもって検出及び定量化され得、故にトレース物質についての同様の決定を可能にするように、この性質が望ましい。このような目的で、トレーサー組成物中に含めるのに有用な乳化剤は、同様に、溶解時、乳化剤が溶解組成物中の水不溶性フルオロフォア及び／または水不溶性トレース物質を安定化させ得るように、ポリマー組成物中に組み込まれ得る。溶解組成物は、好適には、乳化及び組成物均一性を促進させるために、初期形成時に撹拌されるか、別のやり方でかき混ぜられる。溶解組成物が蛍光発光によってフルオロフォアの存在を試験される場合、組成物は、分析中の組成物均一性を確実にするために、分析の直前に再撹拌され得るか、または再度かき混ぜられ得る。
【００３０】
水溶性ポリマー組成物は、そこに含有される組成物を格納及び／または送達するための容器の形態にあり得る（例えば、洗濯または食器洗浄用水性洗浄媒体など、組成物の遅延放出）。図２は、水溶性パウチ１００が界面３０で密閉される水溶性ポリマーフィルム１０、２０から形成される、そのような物品を例証する。フィルム１０、２０のうちの１つまたは両方は、その中に均一に分布されるフルオロフォア及びトレース物質を含む。フィルム１０、２０は、水性環境内に放出するための任意の所望の組成物５０を含有する内部パウチ容器容積４０を画定する。組成物５０は、特に制限されず、例えば、下記の様々な洗浄用組成物のいずれかを含む。ある実施形態において、特に、組成物５０が着色されるか、別のやり方で子どもにとって魅力的であるとき、及び／または、人もしくは動物によって摂取された場合に健康被害をもたらすとき、フィルム１０、２０内のトレース物質は、苦味剤または他の嫌忌剤であり、組成物５０は、洗剤または他の非食用組成物（例えば、洗濯または食器洗浄洗剤）である。
【００３１】
水溶性ポリマー組成物は、様々に開示される実施形態のいずれかに従うトレーサー組成物を、水溶性ポリマー及び任意に１つ以上の他のポリマー組成物構成成分（例えば、追加のポリマー、可塑剤、別の添加剤）と混合して、ポリマー−フルオロフォア−トレース物質ブレンド物を形成することによって、形成され得る。次いで、このブレンド物は、フルオロフォア及びトレース物質が実質的に水溶性ポリマー組成物全体にわたって均一に分布される（例えば、元のトレーサー組成物及び中間ブレンド物内でのそれらの均一な分布から生じる）固体水溶性ポリマー組成物に形成される。一改良において、ポリマー−フルオロフォア−トレーサー物質ブレンド物は、水溶液とその中に溶解される水溶性ポリマーの形態にある。この場合、次いで、水溶液ブレンド物は、既知の技術に従って溶液流延されて、ポリマー組成物をフィルムとして形成し得る。別の改良において、ポリマー組成物は、ポリマー−フルオロフォア−トレーサー物質ブレンド物を溶融加工すること（例えば、非フィルム組成物を形成するためのブレンド物の射出成形、押出など）によって形成され得る。例えば、水性または他の液体系トレーサー組成物は、水溶性ポリマー（例えば、粉末または小粒形態にある）ならびに他の可塑剤及びポリマー組成物添加剤に添加され、かつそれらと乾燥混合されて、乾燥ブレンド物を形成し得る。別の実施形態において、固定された既知の比で事前に混合されたフルオロフォア固体及びトレース物質固体（例えば、粉末形態にある）の均一混合物であるトレーサー組成物は、同様に、水溶性ポリマー構成成分に添加され、かつそれと乾燥混合されて、乾燥ブレンド物を形成し得る。どちらの場合においても、乾燥ブレンド物は、既知の技術に従って溶融加工されて、フルオロフォア及びトレース物質を有する水溶性組成物を形成し得る。
【００３２】
本開示はまた、水溶性ポリマー組成物（例えば、水溶性フィルムまたは別のもの）及びそこから形成される物品（例えば、水溶性パウチまたは他の容器）のための様々に開示される実施形態のいずれかにおいてフルオロフォア（及び、それに応じて、トレース物質）を検出するための方法に関する。本組成物または物品は、フルオロフォアのための１つ以上の特徴的な励起波長（複数可）を包含する入射電磁放射線に露光され、次いで本組成物または物品からの発光された電磁放射線が、フルオロフォアの１つ以上の特徴的な励起波長（複数可）に相当する１つ以上の波長で検出される。励起及び発光波長は、例えば、励起波長が紫外線光スペクトル内にあり、発光波長が可視光スペクトル内にある、紫外線−可視−赤外線光スペクトル内にあり得る。フルオロフォアの陽性検出（例えば、その特徴的な発光波長（複数可）の陽性検出に基づく）は、トレース物質が試験された組成物または物品内に存在することを示唆する。好適には、フルオロフォア及びトレース物質が既知の所定の比で組成物または物品内に存在するとき、本方法は、組成物または物品内に存在するフルオロフォア（例えば、フルオロフォアのための別個に生成された較正曲線に基づく）及びトレース物質（例えば、フルオロフォアの結果及び所定の比に基づく）の量を定量的に決定することをさらに含み得る。
【００３３】
一般的な検出方法の改良において、試験される組成物または物品（またはそれらの一部分もしくは試料）は、水性水溶性ポリマー溶解組成物である。溶解組成物は、すでに形成された固体水溶性ポリマー組成物（例えば、形成されたフィルムとして）を水中に溶解することによって形成され得る。代替的に、溶解組成物は、固体水溶性ポリマー組成物の形成前の水溶液を表し得る（例えば、トレーサー組成物が追加された水性流延溶液）。次いで、いずれかの形態にある溶解組成物は、発光された電磁放射線を生成、検出、及び測定するために、フルオロフォアに関する特徴的な励起波長（複数可）を包含する入射電磁放射線に露光される。溶解組成物は、任意の所望のレベル（例えば、水中の合計水溶性ポリマー組成物構成成分の重量％で表される）に形成または希釈され得る。任意の特定の場合において、溶解組成物の濃度は、水溶性ポリマー組成物の迅速な溶解を促進し、かつ蛍光反応停止効果を回避するのに十分なほど低くなければならない。同様に、濃度は、フルオロフォアのための十分な蛍光応答を産出するのに十分なほど高くなければならない。溶解組成物、特にポリビニルアルコールを含むものの好適な濃度は、約０．１重量％、１重量％、または２重量％〜約３重量％、５重量％、または１０重量％の範囲に及ぶ。
【００３４】
一般的な検出方法の別の改良において、本方法は、組成物または物品に対して品質管理評価を実施し、次いで必要に応じて適切な（修正）処置を取ることをさらに含む。例えば、トレース物質の定性的または定量的結果は、トレース物質についての１つ以上の品質管理基準（例えば、トレース物質は、存在しなければならない、最小量以上で存在しなければならない、所定の範囲の量で存在しなければならない、及び／または最大量を超えて存在してはならない）と比較され得る。組成物または物品が品質管理基準を満たす場合、組成物または物品（またはそれに相当する組成物または物品のバッチ）は容認され、そうでない場合は、組成物、物品、または関連バッチは拒絶される。試料またはバッチの拒絶は、試料またはバッチを破壊すること、再加工すること、もしくはリサイクルすること、または別途、容認された物と同じ様式でそれを使用しないこと（例えば、それを商流通から外しておくこと）を含み得る。試料またはバッチの容認は、試料またはバッチをさらに加工すること（例えば、試料採取されたフィルム組成物をパウチに形成して、洗浄用組成物を充填すること）、または最終生成物（例えば、充填されたパウチ）が商流通に入ることを許可することを含み得る。
【００３５】
蛍光応答を誘導及び検出するための様々な手段は、当該技術分野において既知である。市販の分光光度計は、好適な励起源（例えば、紫外線ＬＥＤまたはガス放電灯）、及び試料の蛍光応答（例えば、試料キュベットからの発光された可視光）を迅速かつ定量的に検出することができる検出器を含む。ある実施形態において、フルオロフォアの存在は、組成物を励起源（例えば、紫外線ガス放電灯）に露光し、次いで発光された電磁放射線を人間の目で目視観察すること（すなわち、発光された蛍光波長が可視スペクトル内にあるとき）によって、定められるような（例えば、フィルムなどの固体形態にあり、同じものを形成する水性溶解組成物を形成する必要のない）水溶性ポリマー組成物中で定性的に検査され得る。他の実施形態において、使用される特定のフルオロフォア、及び／またはフィルム内のフルオロフォア組み込みの相対的なレベルのいずれかに基づいて、フルオロフォアまたはフィルムに自然に視認できる色は存在しない。
【００３６】
開示されるトレーサー組成物、水溶性ポリマー組成物、関連物品、及び関連方法は、別段の記載がない限り、以下にさらに記載される追加の任意の要素、機能、及びステップ（図及び実施例において示されるものを含む）のうちの１つ以上の任意の組み合わせを含む実施形態を含むことが企図される。
【００３７】
任意の実施形態において、容器（例えば、パウチ）の形態にある水溶性ポリマー組成物は、その中に組成物を含み得る。本組成物は、液体、固体、またはそれらの組み合わせから選択され得る。本明細書内で使用される場合、「液体」は、自由流動液体、ならびにペースト、ゲル、泡、及びムースを含む。液体の非限定的な例は、軟質及び重質液体洗剤組成物、布地増強剤、洗濯に広く使用される洗剤ゲル、漂白剤、及び洗濯用添加剤を含む。ガス、例えば浮遊した気泡、または固体、例えば粒子が、液体内に含まれ得る。本明細書内に使用される「固体」は、粉末、凝集体、及びそれらの混合物を含むが、それらに限定されない。固体の非限定的な例としては、顆粒、マイクロカプセル、ビーズ、麺、及び真珠光沢の球が挙げられる。固体組成物は、洗浄を通じた利点、前処理の利点、及び／または美的効果を含むがそれらに限定されない技術的利点を提供し得る。
【００３８】
洗濯を中心とした実施形態のいずれかにおいて、組成物は、例えば、液体軟質及び液体重質液体洗剤組成物、粉末洗剤組成物、布地増強剤、洗濯に広く使用される洗剤ゲル、ならびに漂白剤（例えば、有機または無機漂白剤）及び洗濯用添加剤の群から選択され得る。
【００３９】
本明細書内で使用される場合、「ホモポリマー」という用語は、一般的に、一種類のモノマー繰り返し単位を有するポリマーを含む（例えば、単一のモノマー繰り返し単位からなる、または本質的になるポリマー鎖）。ＰＶＯＨの特定の場合には、「ホモポリマー」（または「ＰＶＯＨホモポリマー」）という用語は、加水分解度によってビニルアルコールモノマー単位及びビニルアセテートモノマー単位の分布を有するコポリマーをさらに含む（例えば、ビニルアルコール及びビニルアセテートモノマー単位からなる、または本質的になるポリマー鎖）。１００％加水分解の極端な場合、ＰＶＯＨホモポリマーは、ビニルアルコール単位のみを有する真のホモポリマーを含み得る。
【００４０】
本明細書内で使用される場合、「コポリマー」という用語は、一般的に、２種類以上のモノマー繰り返し単位を有するポリマーを含む（例えば、ランダムコポリマー、ブロックコポリマーなどとしてであっても、２つ以上の異なるモノマー繰り返し単位からなる、または本質的になるポリマー鎖）。ＰＶＯＨの特定の場合には、「コポリマー」（または「ＰＶＯＨコポリマー」）という用語は、加水分解度によってビニルアルコールモノマー単位及びビニルアセテートモノマー単位の分布を有するコポリマー、ならびに少なくとも１つの他の種類のモノマー繰り返し単位をさらに含む（例えば、ビニルアルコールモノマー単位、ビニルアセテートモノマー単位、及び１つ以上の他のモノマー単位からなる、または本質的になるｔｅｒ−（または高位の）ポリマー鎖）。１００％加水分解の極端な場合、ＰＶＯＨコポリマーは、ビニルアルコール単位及び１つ以上の他のモノマー単位を有するが、ビニルアセテート単位を有しないコポリマーを含み得る。
【００４１】
本明細書内で使用される場合、「含む（ｃｏｍｐｒｉｓｉｎｇ）」という用語は、特定されるものに加えて、他の薬剤、要素、ステップ、または機能を含む可能性を示唆する。
【００４２】
本明細書内に使用される場合、及び別段の記載がない限り、「重量％（ｗｔ．％）」及び「重量％（ｗｔ％）」という用語は、フィルム全体の「乾燥」（非水）重量部（適用できる場合）、またはパウチ内に封入される組成物全体の重量部（適用できる場合）で、識別される要素の組成物を指すことが意図される。本明細書内に使用される場合、及び別段の記載がない限り、「ｐｈｒ」という用語は、水溶性フィルム内の水溶性ポリマー（または樹脂、ＰＶＯＨ、または別のものであろうと）百分率で、識別される要素の組成物を指すことが意図される。
【００４３】
本明細書内に設定される全ての範囲は、範囲の全ての可能性のある部分集合及びそのような部分集合範囲の任意の組み合わせを含む。既定値では、範囲は、別段の記載がない限り、記載された終点を含める。値の範囲が提供される場合、その範囲の上限及び下限の間の各介在値、及びその記載された値内の任意の他の記載された値、または介在値は、本開示内に包含されることが理解される。これらの小さい方の範囲の上限及び下限は、小さい方の範囲内に独立して含まれ得、記載された範囲内の任意の特に除外された範囲の端に影響を受けて、本開示内にも包含される。記載された範囲が範囲の端のうちの１つまたは両方を含む場合、それらの含まれた範囲の端のいずれかまたは両方を除外する範囲もまた、本開示の一部であることが企図される。
【００４４】
トレーサー組成物
先に記されるように、本開示に従うトレーサー組成物は、混合物（例えば、水及び／または水混和性溶媒などの液体媒体内）全体にわたって均一に分布されるフルオロフォア及びトレース物質を含む均一混合物の形態にある。フルオロフォア及びトレース物質は、フルオロフォアの蛍光検出、及びフルオロフォアの蛍光検出のトレース物質の検出との相関を促進するために明確に異なる蛍光発光スペクトルを有する。
【００４５】
フルオロフォアは、１つ以上の特徴的な励起波長で電磁放射線を吸収し、次いで１つ以上の特徴的な発光波長で電磁放射線を発光する物質である。発光波長は、励起波長よりも大きい場合がある。励起及び発光のための電磁放射線は、紫外線−可視−赤外線光スペクトル内にあり得る（例えば、大まかにＵＶ光では約１０ｎｍ〜約３９０ｎｍまたは約４００ｎｍ、可視光では約３９０ｎｍまたは約４００ｎｍ〜約７００ｎｍまたは約７５０ｎｍ、ＩＲ光では約７００ｎｍまたは約７５０ｎｍ〜約１ｍｍ）。フルオロフォアは、ＵＶスペクトル（例えば、約１００ｎｍ〜約２８０ｎｍ（ＵＶ−Ｃ）、約２８０ｎｍ〜約３１５ｎｍ（ＵＶ−Ｂ）、または約３１５ｎｍ〜約４００ｎｍ（ＵＶ−Ａ））内で励起性であり得、可視スペクトル（例えば、約４００ｎｍ〜約５００ｎｍ、約５００ｎｍ〜約６００ｎｍ、または約６００ｎｍ〜約７００ｎｍ）内で発光し得る。
【００４６】
いくつかの態様において、フルオロフォアは、典型的には、複数のパイ結合を有する複数の芳香族基及び／または平面もしくは環状基を含有する、有機フルオロフォアである。好適な有機フルオロフォアの例としては、アクリジン、アリールメチン、ビフェニルスチルベン、ベンゾオキサゾリン、クマリン、シアニン、ジアゾール、フルオロン、イミダゾリン、ナフタレン、オキサジアゾール、オキサジン、フェナントリジン、ピレン、ローダミン、スチルベン、スチリルビフェニル、テトラピロール、トリアゾール、キサンテン、及び蛍光タンパク質が挙げられる。当業者によって理解されるように、好適なフルオロフォアは、例えば、塩基蛍光分子への追加の有機または無機置換基を含む、先述の様々な誘導体または類似体を含む。
【００４７】
光学的増白剤（または蛍光増白剤）は、ＵＶ範囲（約３４０ｎｍ〜約３７０ｎｍ）内のそれらの蛍光吸収、及び青色可視範囲（約４２０ｎｍ〜約４７０ｎｍ）内の発光に基づく増白効果を提供するために洗濯洗剤に広く使用されるフルオロフォアの類である。いくつかの態様において、トレーサー組成物のフルオロフォアは、光学的増白剤であり得る。ある改良において、同じ光学的増白剤フルオロフォアは、トレーサー組成物、及び水溶性ポリマー組成物から形成されるパウチまたは他の物品に含有される洗剤組成物の両方に含まれ得る。そのような場合、両方の組成物中で同じフルオロフォアを使用することは、洗濯された物品に補足の光学的増白効果を提供する（例えば、洗浄中に溶解時にポリマー組成物から放出されるトレーサー組成物フルオロフォアから）という利点、及び／または洗濯された物品上に不必要に残る可能性のある新たな化学物質の追加を排除するという利点を有し得る。別の改良において、トレーサー組成物及び洗剤フルオロフォアは、異なる（例えば、トレーサー組成物フルオロフォアは、光学的増白剤ではない）。そのような改良は、洗剤内の潜在的なフルオロフォアがポリマー組成物中に組み込まれるフルオロフォアの検出及び／または定量を妨げないことを確実にする（例えば、ここでは、フィルムフルオロフォアが、ＵＶ灯（または「ブラックライト」）で、洗剤パウチ内でそのまま検出されるか、フィルムが水中で試料採取／溶解される（すなわち、フィルム内に浸出し得た可能性がある））。別の改良において、洗剤は、トレーサー組成物フルオロフォアを妨げる（例えば、過度に重複する）蛍光発光スペクトルを有する光学的増白剤及び／または構成成分を実質的に含み得ない。
【００４８】
有機フルオロフォアは、一般的には、それらの未修飾形態において水不溶性である。いくつかの態様において、水溶性有機フルオロフォア類似体（例えば、同じまたは類似した基本化学構造及び蛍光活性を有するが、陰イオンカルボン酸塩、スルホン酸塩、またはホスホン酸塩基など、水溶性を付与する１つ以上のイオン官能基を、典型的には塩形態で含む）は、トレース物質及び／またはポリマー組成物の他の構成成分が水溶性フルオロフォア類似体を用いて相溶性のある混合物を形成するとき、使用され得る。しかしながら、いくつかの場合において、そのような水溶性フルオロフォア類似体は、トレース物質及び／またはポリマー組成物の他の構成成分と組み合わされるとき（例えば、陰イオン水溶性フルオロフォア類似体と組み合わせて、デナトニウム苦味剤などの陽イオン水溶性構成成分）、不適合混合物を形成するであろう。２つの物質は、それらが、相分離によって、反応して不溶性反応生成物及び／またはフルオロフォアもしくはトレース物質の異なる化学特性を有する生成物を形成することなどによってなど、（水性）媒体内に一緒に均一に分布されたままでいることができないとき、不適合混合物を形成すると言うことができる。そのような場合、水不溶性フルオロフォア（例えば、イオン官能基なし）は、均一混合物適合性及び安定性を促進するために使用され得る。
【００４９】
他の態様において、フルオロフォアは、量子ドットなどの無機フルオロフォアである。量子ドットは、半導体物質で作られたナノ結晶であり、それらは、有機フルオロフォアと同様に光を吸収及び発光することができるが、発光波長がナノ結晶サイズの調節可能な関数であるという違いがある。好適な量子ドット物質は、セレン化カドミウム、硫化カドミウム、ヒ化インジウム、及びリン化インジウムを含む。
【００５０】
ある態様において、トレース物質は、苦味剤物質または辛味剤物質などの嫌忌物質を含んで、嫌忌物質を組み込むポリマー組成物の例えば子どもまたは動物による摂取を抑止または防止する。苦味剤は、それが添加される組成物に苦い味を付加する。好適な苦味剤は、デナトニウム塩（例えば、安息香酸デナトニウム、デナトニウム糖類、塩化デナトニウム）、オクタアセチルスクロース、キニーネ、フラボノイド（例えば、ケルセチン、ナリンゲン）、及びクアシノイド（例えば、クアシン、ブルシン）を含む。辛味剤は、摂取したときに鋭くヒリヒリする味を、及び肌に局所的に適用されたときに焼けるような感覚を付加する。好適な辛味剤は、カプサイシン、ピペリン、イソチオシアン酸アリル、及びレシニフェラトキシンを含む。組み込みの好適なレベルは、特定の苦味剤または辛味剤物質に準じて様々である。当業者によって理解されるように、嫌忌構成成分は、不快な味または感覚を付与するのに十分に高いが、嫌忌自体からの潜在的な毒性を回避するのに十分に低いレベルで組み込まれるべきである。安息香酸デナトニウムは、その苦味閾値がその毒性閾値よりも実質的に低いため、この点において特に好適である。
【００５１】
別の態様において、トレース物質は、水溶性ポリマー組成物の１つ以上の構成成分を含む。以下に詳しく記載されるように、そのようなトレース物質の例は、水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、及び界面活性剤のうちの１つ以上を含む。
【００５２】
トレーサー組成物中の水不溶性物質は、フルオロフォア、トレース物質、またはその両方にしろ、例えば、界面活性剤及び／または洗剤を含む、親水性媒体（例えば、水または水含有媒体）内での疎水性有機化合物の安定化のための当該技術分野において既知の様々な乳化剤のうちのいずれかを使用して、乳濁液として組成物全体にわたって均一に分散され得る。水溶性ポリマーまたは洗浄用組成物中に含めるための下記の様々な界面活性剤及び洗剤に加えて、非イオン乳化剤の好適な類は、ポリアルキレンオキシド−アルキルアルコールエーテル（例えば、ＰＥＧ−４−ラウリルアルコール）、例えば、式Ｒ1（ＯＣ2Ｈ4）nＯＨによって表されるものを含み、式中、Ｒ1はＣ10〜Ｃ16アルキル基またはＣ8〜Ｃ12アルキルフェニル基であり、ｎは、３、４、または５〜６、１０、２０、４０、または８０である。
【００５３】
トレーサー組成物は、トレーサー組成物中のフルオロフォア及びトレース物質の均一混合物のための液体媒体を提供するために、水及び／または水混和性溶媒を含み得る。水及び／または水混和性溶媒は、フルオロフォア及びトレース物質の化学的及び物理的に相溶性のある混合物のための液体媒体を提供する。ある態様において、液体媒体は、少なくともいくらかの水を含有し、均一混合物は、水性混合物である（例えば、ここでは、「水性」とは、水が最も豊富な液体媒体構成成分でないとしても、少なくとも１０重量％、２５重量％、５０重量％、７５重量％、９０重量％、または９５重量％の水含有量を有する水混和性混合物を示す）。水混和性溶媒は、単独で使用されるにしろ、水と組み合わせて使用されるにしろ、特に制限されず、共通の極性有機溶媒を含み得る。例としては、アルキルアルコール（例えば、メタノール、エタノール、プロパノール、ブタノール、及びそれらの異性体などのＣ1〜Ｃ4アルコール）、ならびに水溶性ポリマー組成物について以下に記される様々なヒドロキシル化可塑剤のうちのいずれかが挙げられる。液体媒体が追加の水を含有しない場合、または追加の水混和性溶媒を含む場合、トレーサー組成物中に組み込まれるフルオロフォア及びトレース物質は、望ましくは、依然として相溶性があり、実質的に水で構成される液体媒体（例えば、少なくとも９０重量％、９５重量％、または９９重量％が水）中に安定した均一混合物を形成することができる。そのような性質は、フルオロフォア及びトレース物質を含む水溶性ポリマー組成物が水中に溶解され、結果として生じる水溶液がフルオロフォアについて分析されるとき、有益である。選択された液体媒体が何であるにしろ、それは、望ましくは、フルオロフォアの関連のある励起及び発光波長で電磁放射線に対して透過的である（例えば、ＵＶ励起光は、媒体全体にわたって分布されるフルオロフォアを励起するために液体媒体を貫通することができなければならず、同様に、可視蛍光発光光は、目視または他の光学的検出のために液体を抜け出さなければならない）。
【００５４】
トレーサー組成物の様々な構成成分の濃度は、特に制限されず、それらは、最終的な水溶性ポリマー組成物におけるそれらの所望の組み込みのレベル、ならびにトレーサー組成物及び水溶性ポリマー組成物が組み合わされる相対比率に基づいて幅広い範囲内で独立して選択され得る。例えば、フルオロフォアは（または各フルオロフォアは独立して）、重量に基づいて約１ｐｐｍ〜約５００００ｐｐｍ、例えば、少なくとも約１ｐｐｍ、１０ｐｐｍ、１００ｐｐｍ、１０００ｐｐｍ、もしくは１００００ｐｐｍ、及び／または最大約５ｐｐｍ、５０ｐｐｍ、５００ｐｐｍ、５０００ｐｐｍ、もしくは５００００ｐｐｍの範囲内の濃度でトレーサー組成物中に存在し得る。トレース物質は（または各トレース物質は独立して、例えば、１つ以上の苦味剤）、重量に基づいて約１０ｐｐｍ〜約５０００００ｐｐｍ、例えば、少なくとも約１０ｐｐｍ、１００ｐｐｍ、１０００ｐｐｍ、１００００ｐｐｍ、１０００００ｐｐｍ、もしくは２０００００ｐｐｍ、及び／または最大約５０ｐｐｍ、５００ｐｐｍ、５０００ｐｐｍ、５００００ｐｐｍ、３０００００ｐｐｍ、もしくは５０００００ｐｐｍの範囲内の濃度でトレーサー組成物中に存在し得る。乳化剤は（または各乳化剤は独立して）、含まれるとき、重量に基づいて約１ｐｐｍ〜約５００００ｐｐｍ、例えば、少なくとも約１ｐｐｍ、１０ｐｐｍ、１００ｐｐｍ、１０００ｐｐｍ、もしくは１００００ｐｐｍ、及び／または最大約５ｐｐｍ、５０ｐｐｍ、５００ｐｐｍ、５０００ｐｐｍ、もしくは５００００ｐｐｍの範囲内の濃度でトレーサー組成物中に存在し得る。代替的に、または追加として、乳化剤含有量は、それが安定化する水不溶性物質の濃度に相対的に表され、例えば、水不溶性物質濃度の少なくとも約１０％、２０％、５０％、もしくは８０％、及び／または最大約１５０％、２００％、３００％、もしくは５００％である。トレーサー組成物の液体媒体を提供する水及び／または水混和性溶媒（複数可）は、トレーサー組成物の少なくとも１０重量％、２０重量％、４０重量％、６０重量％、８０重量％、９０重量％、もしくは９５重量％、及び／または最大５０重量％、７０重量％、９０重量％、もしくは９５重量％であり得る。
【００５５】
ある態様において、特定の絶対濃度に加えて、またはその代替として、フルオロフォア及びトレース物質は、既知の所定の比でトレーサー組成物中に組み込まれ得る。上記のように、トレーサー組成物中の所定の比の選択は、最終的な水溶性ポリマー組成物及びその水性希釈内の同じ比率に対応し、故に、フルオロフォアの定量的検出をポリマー組成物中のトレース物質の対応する定量的決定と相関されることを可能にする。例えば、トレース物質に対するフルオロフォアの所定の比は、重量で約０．０００００１〜１、例えば、少なくとも約０．０００００１、０．００００１、０．０００１、０．００１、０．０１、もしくは０．１、及び／または最大約０．００００１、０．０００１、０．００１、０．０１、０．１、もしくは１の範囲内にあり得る（例えば、ここでは、０．１の比は、例えば、フルオロフォア濃度が、トレース物質濃度の１０重量％であることを示唆する）。
【００５６】
トレーサー組成物及び／またはそこから形成される結果として生じる水溶性ポリマー組成物は、単一のフルオロフォア及びそのフルオロフォアに対応する単一のトレース物質を含み得る。しかしながら、様々な改良において、トレーサー組成物及び／または水溶性ポリマー組成物は、複数のフルオロフォア、複数のトレース物質、または両方を含み得る。例えば、単一のフルオロフォアは、トレーサー組成物中の複数のトレース物質のマーカーとして機能し得る（例えば、ここでは、各トレース物質は、フルオロフォアに関する特徴的な励起電磁放射線に露光されたときに、フルオロフォアのものとははっきり異なる蛍光発光スペクトルを有する）。フルオロフォアが各トレース物質に対して既知の比で存在するとき（例えば、ここでは、既知の比は、フルオロフォアに対する各トレース物質において、同じまたは異なり得る）、それは、単一のフルオロフォア（例えば、最終的な水溶性ポリマー組成物中の）との関連によって各トレース物質の定性的及び／または定量的識別を可能にする。代替的に、または追加として、トレーサー組成物及び／または水溶性ポリマー組成物は、複数の異なるフルオロフォアを含み得る（例えば、ここでは、各フルオロフォアは、その特徴的な励起電磁放射線に露光されたときに、他のフルオロフォア発光スペクトルとはっきり異なる蛍光発光スペクトルを有する）。はっきり異なる発光スペクトルを有する異なるフルオロフォアは、異なるスペクトルを有する異なる化学種の使用、または物質のいくつかの他の性質（例えば、量子ドットの粒子サイズ）に依存する発光スペクトルを有する同じ化学種の使用から生じ得る。好適には、全てのフルオロフォアは、同じ波長で励起して、明確に異なる発光スペクトルを提供するが、複数の励起波長が、必要に応じて異なるフルオロフォアに使用され得る。複数の異なるフルオロフォアは、それぞれが対応する複数のトレース物質のための独立したマーカーを提供するため、トレーサー組成物及び／または水溶性ポリマー組成物中に含まれ得る。ある実施形態において、複数のフルオロフォア及び複数のトレース物質は、水溶性ポリマー組成物中への組み込みのために単一のトレーサー組成物中に含まれ得る。別の実施形態において、複数のフルオロフォア及び複数のトレース物質は、それぞれが、少なくとも１つのフルオロフォア及び少なくとも１つのトレース物質（例えば、第１のフルオロフォア及びトレース嫌忌物質を含む第１のトレーサー組成物、第２のフルオロフォア及びトレース水溶性ポリマー物質を含む第２のトレーサー組成物、第３のフルオロフォア及びトレース可塑剤物質を含む第３のトレーサー組成物、第４のフルオロフォア及びトレース添加剤物質を含む第４のトレーサー組成物、ならびにそれらの組み合わせのうちの２つ以上）を含む、複数の異なるトレーサー組成物を使用した水溶性ポリマー組成物中にあり得る。複数のフルオロフォアが対応するトレース物質と共に既知の比で存在するとき、各トレース物質の独立した定性的及び／または定量的識別は、その対応するフルオロフォアとの関連によって可能である。
【００５７】
水溶性ポリマー組成物
水溶性ポリマー組成物、その中に使用される任意の成分、及び同様のものを作製する方法は、すでに既知の比較的薄い水溶性フィルム（例えば、パウチ物質として）のために使用されるにしろ、または他の容器構造を形成する比較的厚い水溶性フィルム（例えば、カプセル）のために使用されるにしろ、当該技術分野において周知である（例えば、溶媒流延、射出成形または押出などの溶融加工）。
【００５８】
先に記されるように、本開示に従う水溶性ポリマー組成物は、下記の他の共通成分の中でも、固体混合物全体にわたって均一に分布されるフルオロフォア及びトレース物質を含む固体混合物（例えば、フィルム、パウチ、または他の形態もしくは物品）の形態にある。フルオロフォア及びトレース物質は、明確に異なる蛍光発光スペクトルを有する。
【００５９】
水溶性ポリマー組成物中のフルオロフォア及びトレース物質の濃度は、特に制限されず、それらは、ポリマー組成物中の構成成分の所望の役割に基づいて幅広い範囲内で独立して選択され得る。フルオロフォアは、それに蛍光発光による検出（例えば、人間による目視検査、または分光光度計によってなど、自動光学的検出）を可能にするレベルで定性的に組み込まれる。同様に、フルオロフォア濃度は、それがポリマー組成物中でそのまま検出されるか、及び／または溶解されたポリマー組成物を形成するために特定のレベルで水中に溶解した後に検出されるかに基づいて選択され得る。例えば、フルオロフォアは、重量に基づいて約１ｐｐｍ〜約５００ｐｐｍ、例えば、少なくとも約１ｐｐｍ、５ｐｐｍ、１０ｐｐｍ、２０ｐｐｍ、もしくは５０ｐｐｍ、及び／または最大約５ｐｐｍ、１０ｐｐｍ、２０ｐｐｍ、５０ｐｐｍ、１００ｐｐｍ、もしくは５００ｐｐｍの範囲内の濃度で水溶性ポリマー組成物中に存在し得る。トレース物質濃度は、ポリマー組成物中のその目的とされる機能に基づいて選択される。例えば、嫌忌トレース物質（例えば、苦味剤、辛味剤）は、重量に基づいて約１０ｐｐｍ〜約１００００ｐｐｍ、例えば、少なくとも約１０ｐｐｍ、５０ｐｐｍ、１００ｐｐｍ、２００ｐｐｍ、５００ｐｐｍ、もしくは１０００ｐｐｍ、及び／または最大約５０ｐｐｍ、１００ｐｐｍ、５００ｐｐｍ、１０００ｐｐｍ、５０００ｐｐｍ、もしくは１００００ｐｐｍの範囲内の濃度で水溶性ポリマー組成物中に存在し得る。水溶性ポリマー組成物中のフルオロフォア対トレース物質の所定の比は、トレーサー組成物のそれと同じであり得る（例えば、約０．０００００１対１、及びその部分的範囲）。
【００６０】
本開示の一態様は、各水溶性ポリマー組成物（または、そのバッチ）が、少なくとも一態様において、各他の水溶性ポリマー組成物（または、そのバッチ）と異なるが、各水溶性ポリマー組成物が、同じフルオロフォア及び同じトレース物質を含む、複数の水溶性ポリマー組成物に関する。水溶性ポリマー組成物は、例えば、異なる水溶性ポリマー（または、それらの量）、異なる可塑剤（または、それらの量）、異なる機能添加剤（または、それらの量）などを有することなど、様々な形のいずれかにおいて異なり得る。それにもかかわらず、各ポリマー組成物は、同じフルオロフォア及び同じトレース物質を含み、故に、同じ分析方法を使用して異なるポリマー組成物中のフルオロフォア及びトレース物質を検出及び定量化することを可能にする。ある改良において、フルオロフォア及びトレース物質は、同じ所定の比で各水溶性ポリマー組成物中に存在する（例えば、同じトレーサー組成物を使用してフルオロフォア及びトレース物質をポリマー組成物中に導入した結果として）。
【００６１】
実施形態の一類において、水溶性ポリマー組成物は、ポリビニルアルコール（ＰＶＯＨ）、例えば、そのホモポリマー（例えば、実質的にビニルアルコール及びビニルアセテートモノマー単位のみを含む）、及びそのコポリマー（例えば、ビニルアルコール及びビニルアセテート単位に加えて１つ以上の他のモノマー単位を含む）など、を含む。ＰＶＯＨは、加水分解または鹸化と通常呼ばれる、ポリビニルアセテートのアルコール分解によって一般的に調製される合成樹脂である。実質的に全てのアセテート基がアルコール基に変換された完全に加水分解されたＰＶＯＨは、約１４０°Ｆ（６０℃）を超える温水中にのみ溶解する強力に水素結合した高結晶質ポリマーである。十分な数のアセテート基が、ポリビニルアセテートの加水分解後に留まることを許され、その結果ＰＶＯＨポリマーが部分的に加水分解されたとされる場合、それは、より弱い水素結合かつ低い結晶性であり、約５０°Ｆ（１０℃）未満の冷水中に可溶性である。中冷または温水可溶性ポリマー組成物は、例えば、中間の部分的に加水分解されたＰＶＯＨ（例えば、約９４％〜約９８％の加水分解度で）を含み得、温水中にのみ容易に可溶性、例えば、約４０℃以上の温度で急速溶解、である。完全に加水分解されたＰＶＯＨ及び部分的に加水分解されたＰＶＯＨの両方のタイプが、ＰＶＯＨホモポリマーと広く称されるが、部分的に加水分解されたタイプは、技術的にはビニルアルコール−ビニルアセテートコポリマーである。
【００６２】
本開示の水溶性ポリマー組成物中に含まれるＰＶＯＨの加水分解度（ＤＨ）は、約７５％〜約９９％（冷水可溶性組成物では、例えば、約７９％〜約９２％、約８６．５％〜約８９％、または約８８％）の範囲内であり得る。加水分解度が減少すると、樹脂から作製されたポリマー組成物は、機械的強度が減少するが、約２０℃未満の温度での溶解度が早くなる。加水分解度が増加すると、ポリマーから作製されたポリマー組成物は、機械的により強くなる傾向があり、熱成形性は低下する傾向がある。ＰＶＯＨの加水分解度は、ポリマーの水溶解度が温度依存であるように選択され得、故に、ポリマー、任意の相溶化剤ポリマー、及び追加の成分から作製されたポリマー組成物の溶解度もまた影響を受ける。１つのオプションにおいて、ポリマー組成物は冷水溶性である。１０℃未満の温度で水中に可溶性である冷水溶性ポリマー組成物は、約７５％〜約９０％の範囲内、または約８０％〜約９０％の範囲内、または約８５％〜約９０％の範囲内の加水分解度を有するＰＶＯＨを含み得る。別のオプションにおいて、ポリマー組成物は温水溶性である。少なくとも約６０℃の温度で水中に可溶性である温水溶性ポリマー組成物は、少なくとも約９８％の加水分解度を有するＰＶＯＨを含み得る。
【００６３】
ＰＶＯＨに加えて、またはその代替における使用のための他の水可溶性ポリマーは、変性ポリビニルアルコール、ポリアクリレート、水溶性アクリレートコポリマー、ポリビニルピロリドン、ポリエチレンイミン、プルラン、グアーガムと、キサンタンガムと、カラギーナンと、デンプンとを含むがそれらに限定されない水溶性天然ポリマー、エトキシ化デンプンとヒドロキシプロピル化デンプンとを含むがそれらに限定されない水溶性ポリマー誘導体、先述のコポリマー、ならびに先述のいずれかの組み合わせを含み得るが、それらに限定されない。依然として他の水溶性ポリマーは、ポリアルキレンオキシド、ポリアクリルアミド、ポリアクリル酸及びその塩、セルロース、セルロースエーテル、セルロースエステル、セルロースアミド、ポリビニルアセテート、ポリカルボン酸及びその塩、ポリアミノ酸、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、ならびにポリメタクリレートを含み得る。そのような水溶性ポリマーは、ＰＶＯＨまたは他のものにしろ、様々な供給元より市販されている。先述の水溶性ポリマーはいずれも、フィルム形成ポリマーとしての使用に一般的に好適である。他の形態に熱加工または溶融加工するのに特に好適な水溶性ポリマーは、ポリビニルアルコール、ポリエチレンイミン、ポリビニルピロリドン、ポリアルキレンオキシド、ポリアクリルアミド、セルロースエーテル、セルロースエステル、セルロースアミド、ポリビニルアセテート、ポリアミド、ゼラチン、メチルセルロース、カルボキシメチルセルロース及びその塩、デキストリン、エチルセルロース、ヒドロキシエチルセルロース、ヒドロキシプロピルメチルセルロース、マルトデキストリン、それらのコポリマー、それらのブレンド物、ならびにそれらの組み合わせを含む。一般に、水溶性ポリマー組成物は、コポリマー及び／または先述の樹脂のブレンド物を含み得る。
【００６４】
水溶性ポリマーは、例えば、約３０重量％または５０重量％〜約９０重量％または９５重量％の範囲内の量でポリマー組成物中に含まれ得る。全ての可塑剤、相溶化剤、及び二次添加剤を合わせた量と比較した水溶性ポリマーの量の重量比は、例えば、約０．５〜約１８、約０．５〜約１５、約０．５〜約９、約０．５〜約５、約１〜３、または約１〜２の範囲内にあり得る。
【００６５】
本明細書に記載されるポリマー組成物中での使用のための水溶性ポリマー（ＰＶＯＨポリマーを含むがそれに限定されない）は、約３．０〜約２７．０ｃＰ、約４．０ｃＰ〜約１５ｃＰ、約４．０〜約２３．０ｃＰ、約４．０〜約３５．０ｃＰ、約４．０〜約４０．０ｃＰ、約６．０〜約１０．０ｃＰ、または約１３．０〜約２７．０ｃＰの範囲内の粘度によって特徴付けられ得る。ポリマーの粘度は、イギリス国家規格ＥＮ  ＩＳＯ  １５０２３−２：２００６  Ａｎｎｅｘ  Ｅブルックフィールド試験法に記載されるＵＬアダプタを有するブルックフィールドＬＶタイプ粘度計を使用して、作製されたばかりの溶液を測定することによって決定される。２０℃で４％水性ポリビニルアルコール溶液の粘度を提示するのが国際慣例である。本明細書内にｃＰで記載されるポリマー粘度は、別段の記載がない限り、２０℃での４％水性水溶性ポリマー溶液の粘度を指すことを理解されたい。
【００６６】
水溶性ポリマー（ＰＶＯＨまたは別のもの）の粘度は、同じポリマーの重量平均分子量
【数１】
0006503354.tif 000002
と相関性があり、しばしば粘度が、
【数２】
0006503354.tif 000003
の代用として使用されることは、当該技術分野において周知である。故に、水溶性ポリマーの重量平均分子量は、約３０，０００〜約１７５，０００、または約３０，０００〜約１００，０００、または約５５，０００〜約８０，０００の範囲内にあり得る。
【００６７】
水溶性ポリマー組成物は、可塑剤、可塑剤相溶化剤、界面活性剤、滑沢剤、離型剤、充填剤、増量剤、架橋剤、ブロッキング防止剤、酸化防止剤、脱粘着剤、消泡剤、層状ケイ酸型ナノクレイ（例えば、ナトリウムモンモリロナイト）などのナノ粒子、漂白剤（例えば、メタ重亜硫酸ナトリウム、重亜硫酸ナトリウム、または他のもの）、及び他の機能性成分などがあるがそれらに限定されない、他の助剤及び処理剤を、それらの意図された目的に好適な量で含有し得る。可塑剤を含む実施形態が好まれる。そのような薬剤の量は、個々にもしくは合計で、最大約５０重量％、２０重量％、１５重量％、１０重量％、５重量％、４重量％、及び／または少なくとも０．０１重量％、０．１重量％、１重量％、または５重量％であり得る。
【００６８】
可塑剤は、グリセリン、ジグリセリン、エチレングリコール、ジエチレングリコール、トリエチレングリコール、テラエチレングリコール、プロピレングリコール、最大で４００ＭＷのポリエチレングリコール、ネオペンチルグリコール、トリメチロールプロパン、ポリエーテルポリオール、２−メチル−１，３−プロパンジオール、乳酸、エタノールアミン、及びそれらの混合物などのヒドロキシル化可塑剤を含み得るが、それらに限定されない。そのような可塑剤（例えば、室温で液体形態にあるにしろ、別の形態にあるにしろ）、単一の可塑剤か、または可塑剤の組み合わせにおいて、約１０ｐｈｒもしくは２５ｐｈｒ〜約３０ｐｈｒもしくは５０ｐｈｒ、約３０ｐｈｒ〜約４５ｐｈｒ、または約３５ｐｈｒ〜約４０ｐｈｒの範囲にわたる量で水溶性ポリマー組成物中に含まれ得る。水溶性ポリマー組成物は、代替的に、または追加として、例えば、イソマルト、マルチトール、ソルビトール、キシリトール、エリトリトール、アドニトール、ズルシトール、ペンタエリトリトール、マンニトール、及びそれらの組み合わせを含む、糖アルコール可塑剤を含む。糖アルコール可塑剤は、単一の糖アルコール可塑剤か、または糖アルコール可塑剤の組み合わせにおいて、約５ｐｈｒ〜約３５ｐｈｒ、約５ｐｈｒ〜約２５ｐｈｒ、約１０ｐｈｒ〜約２０ｐｈｒ、または約１０ｐｈｒ〜約１５ｐｈｒの範囲にわたる量で水溶性ポリマー組成物中に含まれ得る。可塑剤の合計量は、約５重量％もしくは１０重量％〜約３０重量％もしくは４０重量％、または約１５重量％〜約３５重量％、または約２０重量％〜約３０重量％の範囲内、例えば約２５重量％であり得る。
【００６９】
好適な界面活性剤は、非イオン、陽イオン、陰イオン、及び双生イオン類を含み得る。好適な界面活性剤は、ポリオキシエチル化ポリオキシプロピレングリコール、アルコールエトキシレート、アルキルフェノールエトキシレート、第三級アセチレングリコール及びアルカノールアミド（非イオン）、ポリオキシエチル化アミン、第四級アンモニウム塩及び四級化ポリオキシエチル化アミン（陽イオン）、ならびにアミンオキシド、Ｎ−アルキルベタイン、及びスルホベタイン（双生イオン）を含むが、それらに限定されない。他の好適な界面活性剤は、ジオクチルナトリウムスルホサクシネート、グリセロール及びプロピレングリコールのラクチル化脂肪酸エステル、脂肪酸のラクチルエステル、アルキル硫酸ナトリウム、ポリソルベート２０、ポリソルベート６０、ポリソルベート６５、ポリソルベート８０、レシチン、グリセロール及びプロピレングリコールのアセチル化脂肪酸エステル、及び脂肪酸のアセチル化エステル、ならびにそれらの組み合わせを含む。様々な実施形態において、水溶性ポリマー組成物中の界面活性剤の量は、約０．１重量％〜２．５重量％、任意に約１．０重量％〜２．０重量％の範囲内にある。
【００７０】
好適な滑沢剤／離型剤は、脂肪酸及びそれらの塩、脂肪アルコール、脂肪エステル、脂肪アミン、脂肪アミンアセテート、ならびに脂肪アミドを含み得るが、それらに限定されない。好ましい滑沢剤／離型剤は、脂肪酸、脂肪酸塩、及び脂肪アミンアセテートである。一種の実施形態において、水溶性ポリマー組成物中の滑沢剤／離型剤の量は、約０．０２重量％〜約１．５重量％、任意に約０．１重量％〜約１重量％の範囲内にある。
【００７１】
好適な充填剤／増量剤／ブロッキング防止剤／脱粘着剤は、デンプン、加工デンプン、架橋ポリビニルピロリドン、架橋セルロース、微結晶性セルロース、シリカ、金属酸化物、炭酸カルシウム、タルク、及びマイカを含むが、それらに限定されない。好ましい物質は、デンプン、加工デンプン、及びシリカである。一種の実施形態において、水溶性ポリマー組成物中の充填剤／増量剤／ブロッキング防止剤／脱粘着剤の量は、約０．１重量％〜約２５重量％、または約１重量％〜約１０重量％、または約２重量％〜約８重量％、または約３重量％〜約５重量％の範囲内にある。デンプンがない場合、好適な充填剤／増量剤／ブロッキング防止剤／脱粘着剤の１つの好ましい範囲は、約０．１重量％もしくは１重量％〜約４重量％もしくは６重量％、または約１重量％〜約４重量％、または約１重量％〜約２．５重量％である。
【００７２】
水溶性ポリマー組成物は、Ｋａｒｌ  Ｆｉｓｃｈｅｒ滴定により測定されたときに、少なくとも４重量％、例えば、約４〜約１０重量％の範囲内の残留水分含有量をさらに有し得る。
【００７３】
カプセル殻を含むものなど、フィルムなどの水溶性ポリマー組成物の他の機能は、米国公開第２０１１／０１８９４１３号及び米国出願第１３／７４０，０５３号内に見られ得、その両方が参照によりその全体が本明細書内に組み込まれる。
【００７４】
成形及び密閉
水溶性ポリマー組成物は、当該技術分野において既知の様々なプロセスに従って、容器に成形され得る。例えば、熱的処理可能な水溶性ポリマーが選択され、溶融加工技術（例えば、射出成形）または熱形成技術（以下に記載される）によって形成され得る。一般的な射出成形プロセスにおいて、カプセル殻要素のための水溶性ポリマー組成物（例えば、水溶性ポリマー及び可塑剤などの任意の追加の添加剤などを含む）は、加熱された円筒内に供給され、混合され、型穴内に押し込まれて、そこでそれは、型によって画定される所望の形状に冷えて硬化する。射出成形プロセスにおける好適な融解及び種々の温度は、約２００℃〜約２２０℃の範囲内にあり得る（例えば、好適な溶融加工可能なＰＶＯＨポリマーの場合；他の水溶性ポリマーの温度は、それぞれのポリマーの融解点の約１０℃〜約４０℃上であり得る）。円筒端部温度は、約２５０℃〜約３００℃の範囲内にあり得る（例えば、それぞれのポリマーの融解点の約５０℃〜約１５０℃上）。円筒の供給部分は、好適には保冷され（例えば、約４０℃）、射出成形の典型的な温度は、約６０℃〜約８０℃である。他の有用な熱処理技術としては、圧縮成形、つまりキャストシートの熱形成、融解沈着（例えば、３Ｄ印刷）、粒子噴霧及び融合、及び焼結などの非溶融加工（例えば、結晶質または半結晶質ポリマーの融解温度未満の温度などで、液状化することなく粉末ポリマー物質の熱（及び、一般的には圧力）誘導合体による固体または多孔質ポリマー形状の形成）が挙げられる。容器または固体組成物形成のための好適な非熱的技術の例としては、溶媒流延（例えば、溶媒として水を使用；フィルムを形成するためなど）、コーティング加工（例えば、噴霧コーティング）、及び機械加工（例えば、固体水溶性ポリマーからカプセル殻構成成分を機械加工すること）が挙げられる。
【００７５】
水溶性ポリマー組成物はまた、フィルムとして形成され、次いで、熱形成プロセスにおいて熱を使用することによってなど、当該技術分野において既知の様々なプロセスに従って成形され得る（例えば、他の成分に加えて遅延放出カプセルを含有するパウチを形成するため）。熱は、任意の好適な手段を使用して適用され得る。例えば、フィルムは、それを表面上に供給する前、または表面上に置くとすぐに、それを加熱要素の下、または温風中に通過させることによって直接加熱され得る。代替的に、それは、例えば、表面を加熱すること、またはフィルム上に温かい物を適用することによって、非直接的に加熱され得る。フィルムは、赤外線光を使用して加熱され得る。フィルムは、約５０〜約１５０℃、約５０〜約１２０℃、約６０〜約１３０℃、約７０〜約１２０℃、または約６０〜約９０℃の範囲内の温度に加熱され得る。代替的に、フィルムは、例えば、それを表面上に供給する前、もしくは表面上に置くとすぐに、湿潤剤（水、フィルム組成物の溶液、フィルム組成物のための可塑剤、または先述の任意の組み合わせを含む）をフィルム上に噴霧することによって直接的に、または表面を湿潤することによって、もしくはフィルム上に湿潤物を適用することによって非直接的に、好適な手段によって湿潤され得る。
【００７６】
一旦フィルムが加熱及び／または湿潤されると、それは、好ましくはバキュームを使用して、適切な型内に吸い込まれ得る。成形フィルムに好適な組成物（例えば、本開示に従う遅延放出カプセル、それと組み合わせて使用するための洗濯用組成物など）を充填することは、任意の好適な手段を利用して達成され得る。成形フィルムは、例えば、インライン充填技術によって充填され得る。次いで、充填されたオープンパケットは、任意の好適な方法によって、第２のフィルムを使用して閉鎖されてパウチを形成する。これは、水平位置で、連続して常に移動しながら達成され得る。閉鎖は、第２のフィルム、好ましくは水溶性フィルムをオープンパケットの一面及びその上に連続して供給し、次いで好ましくは、典型的には型の間、故にパケット間の領域内において、第１及び第２のフィルムを一緒に密閉することによって達成され得る。
【００７７】
パケット及び／またはその個々の区画を密閉する任意の好適な方法が利用され得る。そのような手段の非制限的な例としては、熱密閉、溶剤接着、溶剤または湿潤密閉、及びそれらの組み合わせが挙げられる。典型的には、密閉を形成するための領域のみが熱または溶剤で処理される。熱または溶剤は、典型的には閉鎖する物質上に、及び典型的には密閉を形成するための領域上のみに、任意の方法によって適用され得る。溶剤または湿潤密閉または接着が使用される場合、熱も適用されることが好まれ得る。好ましい湿潤または溶剤密閉／接着法は、溶剤を型の間の領域上または閉鎖する物質上に、例えば、これをこれらの領域上に噴霧または印刷することによって、選択的に適用し、次いでこれらの領域に圧力を印加して密閉を形成することを含む。例えば、上記の密閉ロール及びベルト（任意に、熱も提供する）が使用され得る。
【００７８】
次いで、形成された水溶性パケットまたはパウチは、切断装置によって切断され得る。切断は、任意の好適な方法を使用して達成され得る。切断はまた、連続した様式で、かつ好ましくは定速で、及び好ましくは水平位置にあるままで、なされることが好まれ得る。切断装置は、例えば、鋭い物または熱い物であり得、後者の場合、熱い物が、薄く切ることに加えて、またはその代替において、フィルム／密閉領域を「焼き」切る。多区画パウチの異なる区画は、隣り合う形で一緒に作製され得、このとき、結果として生じる結合したパウチは切断によって分離される場合とそうでない場合がある。代替的に、区画は別個に作製され得る。適切な供給ステーションの使用によって、例えば、少なくとも１つの区画が本開示に従う遅延放出カプセルを含有する、多数の異なるもしくは独特の組成物及び／または異なるもしくは独特の液体、ゲル、もしくはペースト組成物を組み込む多区画パウチを製造することが可能であり得ることを理解されたい。
【００７９】
洗浄用組成物
洗濯などの洗浄もしくは洗剤組成物、洗濯用添加剤、布地増強剤、及び／または食器洗浄組成物を含む容器またはパウチにおいて、組成物は、以下の成分の非制限的リストのうちの１つ以上を含み得る：布地ケア効果剤；洗剤酵素；沈着補助剤；レオロジー改質剤；増進剤；無機漂白剤（上に記載される）、有機漂白剤；漂白前駆体；漂白向上剤（または活性化剤）；漂白触媒；香料及び／または香料マイクロカプセル（例えば、米国第５，１３７，６４６号を参照のこと）；香料を装填したゼオライト；デンプン封入アコード；ポリグリセロールエステル；増白剤；真珠光沢剤；酵素安定化系；陰イオン染料のための固定剤、陰イオン界面活性剤のための錯化剤、及びそれらの混合物を含む除去剤；光学的増白剤または蛍光体；土壌脱離ポリマー及び／または土壌懸濁液ポリマーを含むがそれらに限定されないポリマー；分散剤；消泡剤；非水性溶剤；脂肪酸；泡立抑制剤、例えば、シリコン泡立抑制剤（米国公開第２００３／００６０３９０  Ａ１号明細書、段落番号６５〜７７）；陽イオンデンプン（米国特許第２００４／０２０４３３７  Ａ１号及び米国特許第２００７／０２１９１１１  Ａ１号）；スカム分散剤（米国特許第２００３／０１２６２８２  Ａ１号明細書、段落番号８９〜９０）；染料；着色剤；乳白剤；酸化防止剤；トルエンスルホン酸塩、クメンスルホン酸塩、及びナフタレンスルホン酸塩などのヒドロトロープ；カラースペックル；色付きのビーズ、球体、または押出成形物；粘土柔軟剤。これらの成分のうちの任意の１つ以上は、欧州特許出願第０９１６１６９２．０号、米国公開第２００３／０１３９３１２Ａ１号、及び米国特許出願第６１／２２９９８１号に  記載される。加えて、または代替的に、組成物は、界面活性剤及び／または溶媒系を含み得、そのそれぞれが以下に記載される。
【００８０】
洗剤組成物は、例えば、約１重量％〜８０重量％の界面活性剤を含み得る。利用される洗剤界面活性剤は、陰イオン、非イオン、双生イオン、両性、または陽イオン型のものであり得るか、これらの型の相溶性のある混合物を含み得る。一種の実施形態において、界面活性剤は、陰イオン、非イオン、及び陽イオン界面活性剤、ならびにそれらの混合物からなる群より選択される。本組成物は、ベタイン界面活性剤を実質的に含み得ない。本明細書内で有用な洗剤界面活性剤の例は、米国特許第３，６６４，９６１号、同第３，９１９，６７８号、同第４，２２２，９０５号、及び同第４，２３９，６５９号に記載される。別種の実施形態において、界面活性剤は、陰イオン界面活性剤、非イオン界面活性剤、及びそれらの組み合わせからなる群より選択される。
【００８１】
有用な陰イオン界面活性剤は、それ自体いくつかの異なる種類のものであり得る。例えば、高級脂肪酸の水溶性塩、すなわち「石鹸」は、本明細書内の組成物において有用な陰イオン界面活性剤である。これは、ナトリウム、カリウム、アンモニウム、ならびに約８〜約２４個の炭素原子、及び好ましくは約１２〜約１８個の炭素原子を含有する高級脂肪酸のアルキルアンモニウム塩などのアルカリ金属石鹸を含む。石鹸は、脂肪及び油の直接鹸化によって、または遊離脂肪酸の中和によって作製され得る。特に有用なのは、ヤシ油及び獣脂由来の混合物のナトリウム及びカリウム塩、すなわち、ナトリウムまたはカリウム獣脂及びヤシ石鹸である。
【００８２】
本明細書内での使用に好適な追加の非石鹸陰イオン界面活性剤は、その分子構造内に約１０〜約２０個の炭素原子を含有するアルキル基、及び硫酸または硫酸エステル基を有する有機硫黄反応生成物の水溶性塩、好ましくはアルカリ金属、及びアンモニウム塩を含む。（「アルキル」という用語には、アシル基のアルキル部分が含まれる。）この群の合成界面活性剤の例としては、ａ）ナトリウム、カリウム、及びアンモニウムアルキル硫酸、特に、獣脂またはヤシ油のグリセリドを還元することによって生成されるものなどの高級アルコール（Ｃ8〜Ｃ18）を硫酸化することによって得られるもの、ｂ）ナトリウム、カリウム、及びアンモニウムアルキルポリエトキシレート硫酸塩、特に、アルキル基が１０〜２２個、好ましくは１２〜１８個の炭素原子を含有し、ポリエトキシレート鎖が１〜１５個、好ましくは１〜６個のエトキシレート部分を含有するもの、及びｃ）アルキル基が約９〜約１５個の炭素原子を直鎖または分岐鎖の構成で含有する、ナトリウム及びカリウムアルキルベンゼンスルホン酸塩、例えば、米国特許第２，２２０，０９９号及び同第２，４７７，３８３号に記載される種類のものが挙げられる。特に有益なのは、アルキル基内の炭素原子の平均数が約１１〜１３個であり、Ｃ11〜Ｃ13ＬＡＳと略される線状直鎖アルキルベンゼンスルホン酸塩である。
【００８３】
非イオン界面活性剤は、式Ｒ1（ＯＣ2Ｈ4）nＯＨのもののうちの１つ以上から選択され得、式中、Ｒ1は、Ｃ10〜Ｃ16アルキル基またはＣ8〜Ｃ12アルキルフェニル基であり、ｎは３〜約８０である。アルコール１モル当り約５〜約２０モルのエチレンオキシドを有するＣ12〜Ｃ15アルコールの縮合生成物、例えば、アルコール１モル当り約６．５モルのエチレンオキシドで縮合されるＣ12〜Ｃ13アルコールが、特に企図される。
【００８４】
本組成物中の溶媒系は、水のみ、または水と有機溶媒の混合物を含有する溶媒系であり得る。有機溶媒は、１，２−プロパンジオール、エタノール、グリセロール、ジプロピレングリコール、メチルプロパンジオール、及びそれらの混合物を含み得る。他の低級アルコール、モノエタノールアミン及びトリエタノールアミンなどのＣ1〜Ｃ4アルカノールアミンもまた使用され得る。溶媒系は、例えば、本開示の無水固体実施形態には存在し得ないが、より典型的には、約０．１％〜約９８％、好ましくは少なくとも約１％〜約５０％、より通常には約５％〜約２５％の範囲内のレベルで存在する。
【００８５】
有機漂白剤は、ジアシル及びテトラアシル過酸化物を含む有機ペルオキシ酸、特にジペルオキシドデカン二酸、ジペルオキシテトラデカン二酸、及びジペルオキシヘキサデカン二酸を含み得る。有機ペルオキシ酸は、ジベンゾイル過酸化物であり得る。ジアシル過酸化物、特にジベンゾイル過酸化物は、例えば、約０．１〜約１００ミクロン、好ましくは約０．５〜約３０ミクロン、より好ましくは約１〜約１０ミクロンの重量平均直径を有する粒子の形態で存在し得る。実施形態において、粒子の少なくとも約２５％〜１００％、または少なくとも約５０％、または少なくとも約７５％、または少なくとも約９０％は、１０ミクロンより小さく、任意に６ミクロンより小さい。
【００８６】
他の有機漂白剤は、ペルオキシ酸を含み、具体的な例は、アルキルペルオキシ酸及びアリールペルオキシ酸である。代表的なものとしては、（ａ）ペルオキシ安息香酸及びその環置換誘導体、例えば、アルキルペルオキシ安息香酸、さらにはペルオキシ−α−ナフトエ酸及びマグネシウムモノペルフタル酸、（ｂ）脂肪族または置換された脂肪族ペルオキシ酸、例えば、ペルオキシラウリン酸、ペルオキシステアリン酸、ε−フタルイミドペルオキシカプロン酸［フタロイミノペルオキシヘキサン酸（ＰＡＰ）］、ｏ−カルボキシベンズアミドペルオキシカプロン酸、Ｎ−ノネニルアミドペルアジピン酸、及びＮ−ノネニルアミドペルコハク酸、ならびに（ｃ）脂肪族及び芳香脂肪族ペルオキシジカルボン酸、例えば、１，１２−ジペルオキシカルボン酸、１，９−ジペルオキシアゼライン酸、ジペルオキシセバシン酸、ジペルオキシブラシル酸、ジペルオキシフタル酸、２−デシルジペルオキシブタン−１，４−二酸、Ｎ，Ｎ−テレフタロイルジ（６−アミノペルカプロン酸）が挙げられる。
【００８７】
漂白活性化剤は、６０℃以下の温度で洗浄の過程において漂白作用を増強する有機過酸前駆体を含み得る。本明細書内での使用に好適な漂白活性化剤は、過加水分解条件下で、好ましくは１〜１０個の炭素原子、特に２〜４個の炭素原子を有する脂肪族ペルオクソイカルボン酸、及び／または任意に置換された過安息香酸を得る化合物を含む。好適な物質は、指定された炭素原子の数のＯ−アシル及び／もしくはＮ−アシル基、ならびに／または置換されたベンゾイル基を持つ。ポリアシル化アルキレンジアミン、特にテトラアセチルエチレンジアミン（ＴＡＥＤ）、アシル化トリアジン誘導体、特に１，５−ジアセチル−２，４−ジオキソヘキサヒドロ−１，３，５−トリアジン（ＤＡＤＨＴ）、アシル化グリコールウリル、特にテトラアセチルグリコールウリル（ＴＡＧＵ）、Ｎ−アシルイミド、特にＮ−ノナノイルスクシンイミド（ＮＯＳＩ）、アシル化フェノールスルホン酸塩、特にｎ−ノナノイル−またはイソノナノイルオキシベンゼンスルホン酸塩（ｎ−またはイソ−ＮＯＢＳ）、カルボン酸無水物、特に無水フタル酸、アシル化多価アルコール、特にトリアセチン、エチレングリコールジアセテート、及び２，５−ジアセトキシ−２，５−ジヒドロフラン、ならびにトリエチルアセチルクエン酸塩（ＴＥＡＣ）もまた、好ましい。漂白活性化剤は、その対応する有機または無機漂白剤と組み合わせて、及び／またはそれらと別個に、格納及び／または送達され得る（例えば、無機漂白剤を有するカプセル内で、または水溶性フィルムパケット内など無機漂白剤から分離して）。
【００８８】
本明細書内の洗剤組成物における使用のための漂白触媒は、マンガントリアザシクロノナン及び関連複合体（米国特許第４，２４６，６１２号、米国特許第Ａ−５，２２７，０８４号）；Ｃｏ、Ｃｕ、Ｍｎ、及びＦｅビスピリジルアミンならびに関連複合体（米国特許第５，１１４，６１１号）；ならびにペンタミンアセテートコバルト（ＩＩＩ）及び関連複合体（米国特許第４，８１０，４１０号）を含む。本明細書内での使用に好適な漂白触媒の別の記載は、参照により本明細書に組み込まれる米国特許第６，５９９，８７１号に見られ得る。漂白触媒は、その対応する漂白活性化剤及び有機または無機漂白剤と組み合わせて、及び／またはそれらと別個に、格納及び／または送達され得る（例えば、無機漂白剤を有するカプセル内で、または水溶性フィルムパケット内など無機漂白剤から分離して）。
【００８９】
本明細書に記載される洗剤組成物中での使用に好適な増進剤は、クエン酸塩、炭酸塩、ケイ酸、及びポリリン酸、例えば、トリポリリン酸ナトリウム及びトリポリリン酸ナトリウム六水和物、トリポリリン酸カリウム、ならびに混合されたトリポリリン酸塩ナトリウム及びカリウムなどの水溶性増進剤を含む。
【００９０】
本明細書に記載される洗剤組成物中での使用に好適な酵素は、ＣＡＲＥＺＹＭＥ及びＣＥＬＬＵＺＹＭＥ（Ｎｏｖｏ  Ｎｏｒｄｉｓｋ  Ａ／Ｓ）などの細菌または真菌セルラーゼ；ペルオキシダーゼ；ＡＭＡＮＯ−Ｐ（Ａｍａｎｏ  Ｐｈａｒｍａｃｅｕｔｉｃａｌ  Ｃｏ．）、Ｍ１  ＬＩＰＡＳＥ及びＬＩＰＯＭＡＸ（Ｇｉｓｔ−Ｂｒｏｃａｄｅｓ）、ならびにＬＩＰＯＬＡＳＥ及びＬＩＰＯＬＡＳＥ  ＵＬＴＲＡ（Ｎｏｖｏ）などのリパーゼ；クチナーゼ；ＥＳＰＥＲＡＳＥ、ＡＬＣＡＬＡＳＥ、ＤＵＲＡＺＹＭ、及びＳＡＶＩＮＡＳＥ（Ｎｏｖｏ）、ならびにＭＡＸＡＴＡＳＥ、ＭＡＸＡＣＡＬ、ＰＲＯＰＥＲＡＳＥ、及びＭＡＸＡＰＥＭ（Ｇｉｓｔ−Ｂｒｏｃａｄｅｓ）などのプロテアーゼ；ＰＵＲＡＦＥＣＴ  ＯＸ  ＡＭ（Ｇｅｎｅｎｃｏｒ）、ならびにＴＥＲＭＡＭＹＬ、ＢＡＮ、ＦＵＮＧＡＭＹＬ、ＤＵＲＡＭＹＬ、及びＮＡＴＡＬＡＳＥ（Ｎｏｖｏ）などのα及びβアミラーゼ；ペクチナーゼ；ならびにそれらの混合物を含む。酵素は、典型的には洗浄用組成物の約０．０００１重量％〜約２重量％純酵素の範囲内のレベルで小球、粒状、共粒状として本明細書内では添加され得る。
【００９１】
本明細書に記載される洗剤組成物中での使用に好適な泡立抑制剤は、低い曇り点を有する非イオン界面活性剤を含む。本明細書内で使用される場合、「曇り点」は、界面活性剤が温度の上昇により可溶性が低くなることの結果である、非イオン界面活性剤の周知の性質であり、第２の層の出現が観察可能である温度が、「曇り点」と称される。本明細書内で使用される場合、「曇り点の低い」非イオン界面活性剤は、３０℃未満、好ましくは約２０℃未満、さらにより好ましくは約１０℃未満、及び最も好ましくは約７．５℃未満の曇り点を有する非イオン界面活性剤系成分と定義される。曇り点の低い非イオン界面活性剤は、非イオンアルコキシル化界面活性剤、特に第一級アルコール由来のエトキシレート、及びポリオキシプロピレン／ポリオキシエチレン／ポリオキシプロピレン（ＰＯ／ＥＯ／ＰＯ）逆ブロックポリマーを含み得る。また、そのような曇り点の低い非イオン界面活性剤は、例えば、エトキシ化−プロポキシ化アルコール（例えば、ＢＡＳＦポリ−ＴＥＲＧＥＮＴ  ＳＬＦ１８）、及びエポキシキャップ化ポリ（オキシアルキル化）アルコール（例えば、例えば米国特許第Ａ−５，５７６，２８１号に記載されるような非イオンのＢＡＳＦポリ−ＴＥＲＧＥＮＴ  ＳＬＦ１８Ｂシリーズ）を含み得る。
【００９２】
本明細書に記載される洗剤組成物中での使用に好適な他の構成成分は、再沈着防止、土壌脱離、または他の洗浄力性質を有する洗浄ポリマーを含む。本明細書における使用のための再沈着防止ポリマーは、ＳＯＫＡＬＡＮ  ＰＡ３０、ＰＡ２０、ＰＡ１５、ＰＡ１０、及びＳＯＫＡＬＡＮｃＰ１０（ＢＡＳＦ  ＧｍｂＨ）、ＡＣＵＳＯＬ  ４５Ｎ、４８０Ｎ、４６０Ｎ（Ｒｏｈｍ  ａｎｄ  Ｈａａｓ）などのポリマー、ＳＯＫＡＬＡＮｃＰ５などのアクリル酸／マレイン酸コポリマー、ならびにアクリル／メタクリルコポリマーを含有するアクリル酸を含む。本明細書における使用のための土壌脱着ポリマーは、アルキル及びヒドロキシアルキルセルロース（米国特許第Ａ−４，０００，０９３号）、ポリオキシエチレン、ポリオキシプロピレン及びそのコポリマー、ならびにエチレングリコール、プロピレングリコール、及びその混合物のテレフタル酸エステル基づく非イオン及び陰イオンポリマーを含む。
【００９３】
重金属捕捉剤及び結晶成長阻害剤、例えば、塩及び遊離酸形態にある、ジエチレントリアミンペンタ（メチレンホスホン酸塩）、エチレンジアミンテトラ（メチレンホスホン酸塩）ヘキサメチレンジアミンテトラ（メチレンホスホン酸塩）、エチレンジホスホン酸塩、ヒドロキシ−エチレン−１，１−ジホスホン酸塩、ニトリロトリアセテート、エチレンジアミノテトラアセテート、エチレンジアミン−Ｎ，Ｎ’−ジサクシネートもまた、洗剤内での使用に好適である。
【００９４】
腐食防止剤、例えば、有機銀コーティング剤（特に、Ｗｉｎｔｅｒｓｈａｌｌ、Ｓａｌｚｂｅｒｇｅｎ、ドイツにより販売されるＷＩＮＯＧ  ７０などのパラフィン）、窒素含有腐食防止剤化合物（例えば、ベンゾトリアゾール及びベンズイマダゾール、イギリス登録特許第Ａ−１１３７７４１号を参照のこと）、及びＭｎ（ＩＩ）化合物、特に有機リガンドのＭｎ（ＩＩ）塩もまた、本明細書に記載される洗剤組成物中での使用に好適である。
【００９５】
本明細書内の洗剤組成物中での使用に好適な他の構成成分は、酵素安定剤、例えば、カルシウムイオン、ホウ酸、及びプロピレングリコールを含む。
【００９６】
好適なリンス添加剤は、当該技術分野において既知である。食器洗浄のための市販のリンス補助剤は、典型的には、低起泡性脂肪アルコールポリエチレン／ポリプロピレングリコールエーテル、可溶化剤（例えば、クメンスルホン酸塩）、有機酸（例えば、クエン酸）、及び溶媒（例えば、エタノール）の混合物である。そのようなリンス補助剤の機能は、水滴、筋、またはフィルムが後続の乾燥プロセスの後に残らないように、それが、薄い密着フィルムの形態にあるすすがれた表面から排出できるような方法で水の界面張力に影響を与えることである。欧州特許第０  １９７  ４３４  Ｂ１号は、界面活性剤として混合エーテルを含有するリンス補助剤について記載する。布地柔軟剤及び同等のものなどのリンス添加剤もまた企図され、本明細書内の開示に従うフィルム内の封入に好適である。
【００９７】
本開示の特定の企図された態様は、以下の番号付きの段落において本明細書内に記載される。
【００９８】
１．フルオロフォアに関する特徴的な励起波長を含む電磁放射線に露光されたときに、少なくとも１つの特徴的な発光波長を含む第１の蛍光発光スペクトルを有する水不溶性フルオロフォアであって、混合物全体にわたって均一に分散されるフルオロフォアと、フルオロフォアに関する特徴的な励起波長を含む電磁放射線に露光されたときに、第１の蛍光発光スペクトルとは明確に異なる第２の蛍光発光スペクトルを有する水溶性物質であって、混合物全体にわたって溶液中に均一に混合される水溶性物質とを含む水性の均一混合物を含むトレーサー組成物。
【００９９】
２．フルオロフォアに関する特徴的な励起波長を含む電磁放射線に露光されたときに少なくとも１つの特徴的な発光波長を含む第１の蛍光発光スペクトルを有する水不溶性フルオロフォアであって、混合物全体にわたって均一に分散されるフルオロフォアと、フルオロフォアに関する特徴的な励起波長を含む同じ電磁放射線に露光されたときに、第１の蛍光発光スペクトルとは明確に異なる第２の蛍光発光スペクトルを有する水溶性物質であって、混合物全体にわたって溶液中に均一に混合される水溶性物質と、水不溶性フルオロフォア及び水溶性物質のための媒体として水及び水混和性溶媒のうちの少なくとも１つとを含む均一混合物を含むトレーサー組成物。
【０１００】
３．水溶性物質及び水溶性フルオロフォア類似体が、水性媒体内で組み合わされる場合、不適合混合物を形成するであろう、先述の段落のいずれかに記載の組成物。
【０１０１】
４．水不溶性フルオロフォアが、乳濁液として混合物全体にわたって均一に分散される、先述の段落のいずれかに記載の組成物。
【０１０２】
５．均一混合物が、１つ以上のポリアルキレンオキシド−アルキルアルコールエーテルより選択される乳化剤をさらに含む、先述の段落に記載の組成物。
【０１０３】
６．水溶性物質が苦味剤を含む、先述の段落のいずれかに記載の組成物。
【０１０４】
７．苦味剤が、デナトニウム塩、オクタアセチルスクロース、キニーネ、ケルセチン、ナリンゲン、ブルシン、クアシン、及びそれらの組み合わせからなる群より選択される、先述の段落に記載の組成物。
【０１０５】
８．苦味剤が、安息香酸デナトニウム、デナトニウム糖類、塩化デナトニウム、及びそれらの組み合わせからなる群より選択されるデナトニウム塩を含む、先述の段落に記載の組成物。
【０１０６】
９．苦味剤が安息香酸デナトニウムを含む、先述の段落に記載の組成物。
【０１０７】
１０．水溶性物質が、水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、先述の段落のいずれかに記載の組成物。
【０１０８】
１１．フルオロフォアが有機フルオロフォアを含む、先述の段落のいずれかに記載の組成物。
【０１０９】
１２．有機フルオロフォアが、アクリジン、アリールメチン、クマリン、シアニン、フルオロン、ナフタレン、オキサジアゾール、オキサジン、フェナントリジン、ピレン、ローダミン、スチルベン、スチリルビフェニル、テトラピロール、キサンテン、蛍光タンパク質、それらの誘導体、及びそれらの組み合わせからなる群より選択される、先述の段落に記載の組成物。
【０１１０】
１３．フルオロフォアが無機フルオロフォアを含む、先述の段落のいずれかに記載の組成物。
【０１１１】
１４．無機フルオロフォアが量子ドットを含む、先述の段落に記載の組成物。
【０１１２】
１５．特徴的な励起波長が紫外線光スペクトル内にあり、特徴的な発光波長が可視光スペクトル内にある、先述の段落のいずれかに記載の組成物。
【０１１３】
１６．フルオロフォアが、重量に基づいて約１ｐｐｍ〜約５００００ｐｐｍの範囲内の濃度で組成物中に存在する、先述の段落のいずれかに記載の組成物。
【０１１４】
１７．水溶性物質が、重量に基づいて約１０ｐｐｍ〜約５０００００ｐｐｍの範囲内の濃度で組成物中に存在する、先述の段落のいずれかに記載の組成物。
【０１１５】
１８．組成物が、複数の異なる水溶性物質を含み、各水溶性物質が、フルオロフォアに関する特徴的な励起波長を含む電磁放射線に露光されたときに、第１の蛍光発光スペクトルとは明確に異なる蛍光発光スペクトルを有する、先述の段落のいずれかに記載の組成物。
【０１１６】
１９．組成物が、複数の異なるフルオロフォアを含み、各フルオロフォアが、フルオロフォアに関する特徴的な励起波長を含む電磁放射線に露光されたときに、他のフルオロフォア蛍光発光スペクトルとは異なる蛍光発光スペクトルを有する、先述の段落のいずれかに記載の組成物。
【０１１７】
２０．フルオロフォア及び水溶性物質が、既知の所定の比で組成物中に存在する、先述の段落のいずれかに記載の組成物。
【０１１８】
２１．フルオロフォア対水溶性物質の所定の比が、重量で約０．０００００１対１の範囲内にある、先述の段落のいずれかに記載の組成物。
【０１１９】
２２．水溶性ポリマー組成物であって、水溶性ポリマーと、フルオロフォアであって、フルオロフォアに関する特徴的な励起波長を含む電磁放射線に露光されたときに、少なくとも１つの特徴的な発光波長を含む第１の蛍光発光スペクトルを有し、混合物全体にわたって均一に分布される、フルオロフォアと、フルオロフォアに関する特徴的な励起波長を含む電磁放射線に露光されたときに、第１の蛍光発光スペクトルとは明確に異なる第２の蛍光発光スペクトルを有する物質であって、混合物全体にわたって均一に分布される、物質とを含む固体混合物を含み、水溶性ポリマー組成物が水中に溶解及び混合されて溶解組成物を形成するとき、フルオロフォアが溶解組成物全体にわたって均一に分布されたままである、水溶性ポリマー組成物。
【０１２０】
２３．フルオロフォアが、水不溶性であり、溶解組成物全体にわたって均一に分散されたままであり、物質が、水溶性であり、溶解組成物全体にわたって溶液中に均一に混合されたままである、段落２２に記載の組成物。
【０１２１】
２４．固体混合物が、フルオロフォアを溶解組成物全体にわたって均一に分散された乳濁液として維持する乳化剤をさらに含む、段落２３に記載の組成物。
【０１２２】
２５．フルオロフォアが、水溶性であり、溶解組成物全体にわたって溶液中に均一に混合されたままであり、物質が、水不溶性であり、溶解組成物全体にわたって均一に分散されたままである、段落２２に記載の組成物。
【０１２３】
２６．固体混合物が、物質を溶解組成物全体にわたって均一に分散された乳濁液として維持する乳化剤をさらに含む、段落２５に記載の組成物。
【０１２４】
２７．フルオロフォア及び物質が、水溶性であり、溶解組成物全体にわたって溶液中に均一に混合されたままである、段落２２に記載の組成物。
【０１２５】
２８．フルオロフォア及び物質が、水不溶性であり、溶解組成物全体にわたって均一に分散されたままである、段落２２に記載の組成物。
【０１２６】
２９．固体混合物が、フルオロフォア及び物質を溶解組成物全体にわたって均一に分散された乳濁液として維持する少なくとも１つの乳化剤をさらに含む、段落２８に記載の組成物。
【０１２７】
３０．水溶性ポリマーが、２０℃で約４ｃＰ〜約４０ｃＰの範囲内の４％溶液粘度を有する、段落２２〜２９のいずれか一項に記載の組成物。
【０１２８】
３１．水溶性ポリマーが、ポリビニルアルコール、ポリエチレンイミン、ポリビニルピロリドン、ポリアルキレンオキシド、ポリアクリルアミド、セルロースエーテル、セルロースエステル、セルロースアミド、ポリビニルアセテート、ポリアミド、ゼラチン、メチルセルロース、カルボキシメチルセルロース及びそれらの塩、デキストリン、エチルセルロース、ヒドロキシエチルセルロース、ヒドロキシプロピルメチルセルロース、マルトデキストリン、それらのコポリマー、それらのブレンド物、ならびにそれらの組み合わせからなる群より選択される、段落２２〜３０のいずれか一項に記載の組成物。
【０１２９】
３２．水溶性ポリマーがポリビニルアルコールを含む、段落２２〜３０のいずれか一項に記載の組成物。
【０１３０】
３３．ポリビニルアルコールが、約７５％〜約９９％の範囲内の加水分解度を有する、段落３２に記載の組成物。
【０１３１】
３４．ポリビニルアルコールが、ビニルアルコールモノマー繰り返し単位及びビニルアセテートモノマー繰り返し単位から本質的になるポリビニルアルコールコポリマーを含む、段落３２に記載の組成物。
【０１３２】
３５．ポリビニルアルコールが、ビニルアルコールモノマー繰り返し単位、ビニルアセテートモノマー繰り返し単位、及び少なくとも１つの他の種類のモノマー繰り返し単位を含むポリビニルアルコールコポリマーを含む、段落３２に記載の組成物。
【０１３３】
３６．物質が苦味剤を含む、段落２２〜３５のいずれかに記載の組成物。
【０１３４】
３７．苦味剤が、デナトニウム塩、オクタアセチルスクロース、キニーネ、ケルセチン、ナリンゲン、ブルシン、クアシン、及びそれらの組み合わせからなる群より選択される、段落３６に記載の組成物。
【０１３５】
３８．苦味剤が、安息香酸デナトニウム、デナトニウム糖類、塩化デナトニウム、及びそれらの組み合わせからなる群より選択されるデナトニウム塩を含む、段落３６に記載の組成物。
【０１３６】
３９．苦味剤が安息香酸デナトニウムを含む、段落３６に記載の組成物。
【０１３７】
４０．物質が、追加の水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、段落２２〜３５のいずれかに記載の組成物。
【０１３８】
４１．フルオロフォアが有機フルオロフォアを含む、段落２２〜４０のいずれか一項に記載の組成物。
【０１３９】
４２．有機フルオロフォアが、アクリジン、アリールメチン、クマリン、シアニン、フルオロン、ナフタレン、オキサジアゾール、オキサジン、フェナントリジン、ピレン、ローダミン、スチルベン、スチリルビフェニル、テトラピロール、キサンテン、蛍光タンパク質、それらの誘導体、及びそれらの組み合わせからなる群より選択される、段落４１に記載の組成物。
【０１４０】
４３．フルオロフォアが無機フルオロフォアを含む、段落２２〜４０のいずれか一項に記載の組成物。
【０１４１】
４４．無機フルオロフォアが量子ドットを含む、段落４３に記載の組成物。
【０１４２】
４５．特徴的な励起波長が紫外線光スペクトル内にあり、特徴的な発光波長が可視光スペクトル内にある、段落２２〜４４のいずれか一項に記載の組成物。
【０１４３】
４６．フルオロフォア及び物質が、既知の所定の比で組成物中に存在する、段落２２〜４５のいずれか一項に記載の組成物。
【０１４４】
４７．フルオロフォア対物質の所定の比が、重量で約０．０００００１対１の範囲内にある、段落４６に記載の組成物。
【０１４５】
４８．フルオロフォアが、重量で約１ｐｐｍ〜約５００ｐｐｍの範囲内の濃度で組成物中に存在する、段落２２〜４７のいずれか一項に記載の組成物。
【０１４６】
４９．物質が、重量で約１０ｐｐｍ〜約１００００ｐｐｍの範囲内の濃度で組成物中に存在する、段落２２〜４８のいずれか一項に記載の組成物。
【０１４７】
５０．水溶性ポリマー組成物が、水溶性フィルムの形態にある、段落２２〜４９のいずれか一項に記載の組成物。
【０１４８】
５１．複数の水溶性ポリマー組成物であって、段落２２〜５０のいずれか一項に記載の２つ以上の水溶性ポリマー組成物を含み、各水溶性ポリマー組成物が、少なくとも一態様において、互いに異なる水溶性ポリマー組成物であり、各水溶性ポリマー組成物が同じフルオロフォア及び同じトレース物質を含む、複数の水溶性ポリマー組成物。
【０１４９】
５２．フルオロフォア及び物質が、各水溶性ポリマー組成物中に同じ所定の比で存在する、段落５１に記載の複数の水溶性ポリマー組成物。
【０１５０】
５３．内部容器容積を画定する容器の形態にある、段落２２〜５０のいずれか一項に記載の水溶性ポリマー組成物と、該内部容器容積内に含有される組成物とを含む物品。
【０１５１】
５４．組成物が洗浄用組成物を含む、段落５３に記載の物品。
【０１５２】
５５．組成物が洗剤組成物を含む、段落５３に記載の物品。
【０１５３】
５６．洗剤組成物が、水溶性ポリマー組成物と同じフルオロフォアを含む、段落５５に記載の物品。
【０１５４】
５７．フルオロフォアが光学的増白剤を含む、段落５５に記載の物品。
【０１５５】
５８．洗剤組成物が、水溶性ポリマー組成物中にフルオロフォアを実質的に含まない、段落５５に記載の物品。
【０１５６】
５９．水溶性ポリマー組成物が水溶性フィルムの形態にあり、容器が水溶性パウチの形態にある、段落５３〜５８のいずれか一項に記載の物品。
【０１５７】
６０．水溶性ポリマー組成物を形成するための方法であって、段落１〜２１のいずれか一項に記載の水溶性ポリマー及びトレーサー組成物を混合して、ポリマー−フルオロフォア−物質ブレンド物を形成することと、該ポリマー−フルオロフォア−物質ブレンド物を固体水溶性ポリマー組成物に形成することであって、フルオロフォア及び物質が水溶性ポリマー組成物全体にわたって均一に分布される、形成することとを含む方法。
【０１５８】
６１．水溶性ポリマー組成物を形成するための方法であって、水溶性ポリマー及びトレーサー組成物を混合して、ポリマー−フルオロフォア−物質ブレンド物を形成することであって、トレーサー組成物が、均一混合物であって、フルオロフォアに関する特徴的な励起波長を含む電磁放射線に露光されたときに、少なくとも１つの特徴的な発光波長を含む第１の蛍光発光スペクトルを有するフルオロフォアであって、混合物全体にわたって均一に分布されるフルオロフォアと、フルオロフォアに関する特徴的な励起波長を含む電磁放射線に露光されたときに、第１の蛍光発光スペクトルとは明確に異なる第２の蛍光発光スペクトルを有する物質であって、混合物全体にわたって均一に分布される物質とを含む均一混合物を含む、形成することと、ポリマー−フルオロフォア−物質ブレンド物を固体水溶性ポリマー組成物に形成することであって、フルオロフォア及び物質が、水溶性ポリマー組成物全体にわたって均一に分布される、形成することとを含む方法。
【０１５９】
６２．均一混合物が、フルオロフォア及び物質のための媒体として水及び水混和性溶媒のうちの少なくとも１つをさらに含む、段落６１に記載の方法。
【０１６０】
６３．ポリマー−フルオロフォア−物質ブレンド物が、追加の水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、及びそれらの組み合わせからなる群より選択される１つ以上の構成成分をさらに含む、段落６０〜６２のいずれか一項に記載の方法。
【０１６１】
６４．ポリマー−フルオロフォア−物質ブレンド物が、水溶液とそこに溶解される水溶性ポリマーの形態にあり、水溶性ポリマー組成物を形成することが、ポリマー−フルオロフォア−物質ブレンド物を溶液流延して、水溶性ポリマー組成物をフィルムとして形成することを含む、段落６０〜６３のいずれか一項に記載の方法。
【０１６２】
６５．水溶性ポリマー組成物を形成することが、ポリマー−フルオロフォア−物質ブレンド物を溶融加工することを含む、段落６０〜６３のいずれか一項に記載の方法。
【０１６３】
６６．フルオロフォアを検出するための方法であって、段落２２〜５０のいずれか一項に記載の水溶性ポリマー組成物または段落５３〜５９のいずれか一項に記載の物品を提供することと、組成物または物品をフルオロフォアに関する特徴的な励起波長を含む入射電磁放射線に露光することと、発光された電磁放射線を組成物または物品から検出することであって、該発光された電磁放射線が、フルオロフォアのための少なくとも１つの特徴的な発光波長に相当し、特徴的な発光波長の陽性検出が、該物質が組成物または物品内に存在することを示唆する、検出することとを含む方法。
【０１６４】
６７．組成物または物品を入射電磁放射線に露光することが、水溶性ポリマー組成物または物品の少なくとも一部分を水中に溶解して、溶解組成物を形成することと、該溶解組成物をフルオロフォアに関する特徴的な励起波長を含む入射電磁放射線に露光して、発光された電磁放射線を生成することとを含む、段落６６に記載の方法。
【０１６５】
６８．溶解組成物が、約０．１重量％〜約１０重量％の水溶性ポリマー組成物または物品部分を含む、段落６７に記載の方法。
【０１６６】
６９．組成物または物品内に存在するフルオロフォアの量を定量的に決定することであって、フルオロフォア及び物質が組成物または物品内に既知の所定の比で存在するとき、フルオロフォアの量が、組成物または物品内に存在する物質の量を示唆する、決定することをさらに含む、段落６６または６８のいずれか一項に記載の方法。
【０１６７】
７０．少なくとも１つの励起波長及び少なくとも１つの発光波長が、紫外線−可視−赤外線光スペクトル内にある、段落６６〜６９のいずれかに記載の方法。
【０１６８】
７１．少なくとも１つの励起波長が紫外線光スペクトル内にあり、少なくとも１つの発光波長が可視光スペクトル内にある、段落６６〜６９のいずれかに記載の方法。
【０１６９】
７２．分光光度計を用いて発光された電磁放射線を試料から検出することを含む、段落６６〜７１のいずれかに記載の方法。
【０１７０】
７３．少なくとも１つの発光波長が可視光スペクトル内にあるとき、人間の目による目視検査によって発光された電磁放射線を試料から検出することを含む、段落６６〜７２のいずれかに記載の方法。
【０１７１】
７４．物質についての定性的または定量的決定を物質についての１つ以上の品質管理基準と比較することと、比較に基づいて組成物または物品を拒絶または容認することとをさらに含む、段落６６〜７３のいずれかに記載の方法。
【実施例】
【０１７２】
均一溶解試験
フルオロフォアを放出し、溶解組成物全体にわたって均一に分布されるフルオロフォアを用いて溶解ポリマー組成物を形成するためのその能力をテストされるフルオロフォアトレーサー（例えば、フィルムまたはパウチもしくは他の容器などの関連物品）を含む水溶性ポリマー組成物は、以下のように試験され得る。水溶性ポリマー組成物の一部分を試料採取し（例えば、１ｇ、２ｇ、５ｇ、または１０ｇ試料；代替的に、水溶性ポリマー組成物から作製された容器などの物品全体を含み得る）、水溶性ポリマー構成成分（複数可）を溶解し、溶解組成物を形成するのに十分な水を用いて水中に希釈した。好適には、脱イオン水中のポリマー組成物の１重量％、２重量％、５重量％、または１０重量％溶液が形成される。２重量％溶液は、ＰＶＯＨポリマー構成成分の溶解を適時に可能にするため、ＰＶＯＨ系組成物に好適である。溶解組成物を、周囲条件下（例えば、約２０℃〜２５℃；約２５℃）で、水溶性ポリマーを完全に溶解するのに十分な時間混合した（例えば、磁気撹拌棒、振動、またはかき混ぜなどにより）。
【０１７３】
ポリマー組成物中に元々含有されるフルオロフォアが溶解組成物全体にわたって均一に分布されるという、本明細書に記載される水溶性ポリマー組成物の好適な作用を、溶解組成物によりマークする。この品質は、溶解組成物中のフルオロフォアの定量的検出、及びフルオロフォアが既知の比に従って対応するポリマー組成物中の他の構成成分（複数可）（例えば、苦味剤または別のもの）のそれに続く定量的決定を可能にする。結果として生じる溶解組成物の均一性を、視覚的に評価することができる。溶解組成物中に観察可能な沈殿物または分離相（例えば、フルオロフォアのみ、他の組成物構成成分のみ、フルオロフォア及び他の組成物構成成分の間の不溶性反応生成物）は存在すべきではない。フルオロフォアがＵＶ励起波長及び可視発光波長を有するときは、ＵＶ灯を用いて目視検査を実施することができる。ＵＶ灯を用いた照射は、可視発光波長に対応する連続した色を有する溶解組成物を明らかにするはずである（すなわち、溶解組成物中に目に見えるほど濃い蛍光物質の領域がない）。結果として生じる溶解組成物の均一性を、定量的に評価することもできる。中のフルオロフォアの濃度を測定し（例えば、本明細書に概して記載されるように分光光度で）、溶解組成物からの反復測定値、及び／またはポリマー組成物中のフルオロフォア組み込みのレベルに基づいた既知の理論値と比較することができる。
【０１７４】
実施例１：ＰＶＯＨ溶液内の蛍光トレーサー
本開示に従う水性トレーサー組成物を、水溶性フルオロフォアを脱イオン水中のＰＶＯＨコポリマーフィルムの２重量％溶液内に溶解することによって形成した。フルオロフォアは、洗剤粉末内で光学的増白剤（または、蛍光増白剤）として広く使用される、水溶性の、ジスチリルビフェニルのジナトリウムジスルホン酸塩誘導体（ＢＥＮＥＴＥＸ  ＯＢ−Ｍ１、Ｍａｙｚｏ  Ｓｐｅｃｉａｌｔｙ  Ｃｈｅｍｉｃａｌｓ、ＧＡから入手可能）であった。フルオロフォアは、ＵＶ光（例えば、約３４０ｎｍ〜約３７０ｎｍで）で励起し、約４４０ｎｍで特徴的なピーク可視蛍光発光を有する。フルオロフォアを、１．８ｐｐｍ、２．０ｐｐｍ、及び２．２ｐｐｍのレベルで溶液中に溶解した。ＢＬＡＣＫ−ＣＯＭＥＴ分光計（ＳｔｅｌｌａｒＮｅｔ、ＦＬから入手可能）を使用して、フルオロフォアを有する溶液及びフルオロフォアを有しない対照溶液を３６５ｎｍ  ＵＶ  ＬＥＤで励起させ、４００ｎｍ〜４５０ｎｍの範囲にわたる発光された光を測定した。図３に例証されるように、この実施例は、定量的分析技術が、蛍光への高いレベルの感受性（すなわち、少なくともおよそ約１ｐｐｍ未満）を有し、フルオロフォア濃度がほんの０．２ｐｐｍだけ異なる試料（それぞれ２．２ｐｐｍ、２．０ｐｐｍ、及び１．８ｐｐｍフルオロフォアに対応する、図３内の曲線Ａ、Ｂ、及びＣ）間における蛍光の違いを定量化可能に示すことができたことを示す。さらに、本実施例は、ＰＶＯＨフィルムは４００ｎｍ〜４５０ｎｍの範囲内の測定可能な蛍光発光スペクトルを有するが、蛍光応答は、フルオロフォア及びフィルム構成成分の発光スペクトルが明確に異なり、非干渉である（０ｐｐｍフルオロフォアに対応する、図３内の曲線）ように、フルオロフォアのものと比較して十分に小さいということを示す。結果の分析はまた、４４０ｎｍでの蛍光発光強度（光子数）及び蛍光濃度（ｒ2＝０．９９８８、示されない）間の高いレベルの直線性を示す。
【０１７５】
先に記されるように、この水溶性ジスチリルビフェニルフルオロフォアは、デナトニウム苦味剤フィルム添加剤と組み合わせてトレーサーとして使用することには好適ではなく、その理由は、スルホン酸化ジスチリルビフェニル及びデナトニウム苦味剤が水不溶性塩沈殿物を形成し、故に、典型的なフィルム形成技術及び／またはフルオロフォアの信頼性のある定量的または定性的検出により、２つの構成成分をフィルム内に均一に組み込むことを防ぐからである。しかしながら、この実施例は、水溶性にしろ水不溶性にしろ、フルオロフォアが、フルオロフォア及び他のフィルム構成成分の間の均一な相溶性のある混合物を形成すると考えられる限りにおいて、水溶性ジスチリルビフェニルフルオロフォアは、１つ以上の他のフィルム構成成分（例えば、水溶性ポリマー樹脂、可塑剤、他の添加剤）には好適な蛍光トレーサーであることを例証する。
【０１７６】
実施例２：蛍光トレーサー及び苦味剤
本開示に従うトレーサー組成物を、水不溶性フルオロフォアを均一の液体混合物中で水溶性苦味剤と混ぜ合わせることによって形成した。プロピレングリコール（７５重量％）（ＢＩＴＲＥＸ；Ｂｉｔｒｅｘ、Ｅｄｉｎｂｕｒｇｈ、イギリスから入手可能）中の水溶性苦味剤である安息香酸デナトニウム（２５重量％）の混合物を、乳化剤としてテトラ（ポリエチレングリコール）−ラウリルアルコールエーテル（ＨＯ−［Ｃ2Ｈ4Ｏ］4−Ｃ12Ｈ25；「ＰＥＧ−４−ラウリルアルコールエーテル」または「ラウレス−４」）を用いて水中で乳濁液として安定化される水不溶性フルオロフォアとして４−メチル−７−（ｄｉエチルアミノ）クマリン（ＯＰＴＩＢＬＡＮＣ  ＡＴＲ；３Ｖ、Ｂｅｒｇａｍｏ、イタリアから入手可能）と混ぜ合わせた。フルオロフォアは、ＵＶ光（例えば、約３４０ｎｍ〜約３７０ｎｍで）で励起し、約４４０ｎｍで特徴的なピーク可視蛍光発光を有する。形成された際、フルオロフォア及び苦味剤は、重量で０．０７の所定の比でトレーサー組成物中に存在した（すなわち、苦味剤１重量部当りフルオロフォア０．０７重量部）。この組み合わせをよく混合し、水溶性苦味剤及び水不溶性フルオロフォアの均一混合物を得た。混合物構成成分は、相溶性があり（例えば、観察可能な沈降、沈殿、相分離はなし）、該混合物は、少なくとも約１か月の期間、目で見て分かるいかなる不安定性または不均一性も示すことなく（例えば、フルオロフォアまたは他の混合物構成成分の相分離及び／または沈殿が観察されない）、周辺実験室条件下での保管において安定していることが観察された。そのようなトレーサー組成物は、数か月の期間（例えば、少なくとも約１、２、３、もしくは４ヶ月、及び／または最大約３、６、９、もしくは１２ヶ月）、著しい沈降なく、安定して均一のままであると考えられるが、トレーサー組成物を、トレーサー組成物の均一性、及びその構成成分の水溶性ポリマー組成物中への目的とされるレベルでの組み込みを確実にするため、使用前（例えば、水溶性ポリマー組成物を形成するために水溶性ポリマーと組み合わせる直前）に再度混合するか、または別のやり方で再度かき混ぜることができる。トレーサー組成物構成成分の濃度を以下の表１にまとめる。
【表１】
0006503354.tif 000004
【０１７７】
実施例３：水溶性フィルム内の蛍光トレーサー及び苦味剤
本開示に従う水溶性ポリマーフィルム組成物を、蛍光トレーサー及び苦味剤嫌忌を含めて形成した。対照ＰＶＯＨコポリマーフィルム（フィルムＡ）を、フィルム構成成分の水性流延溶液から溶媒流延することによって形成した。対照ＰＶＯＨコポリマーフィルム組成物は、約５５重量％〜７０重量％の水溶性ＰＶＯＨコポリマー（溶液粘度２３ｃＰ、加水分解度８８％）、約２５重量％〜３５重量％の水溶性ヒドロキシル化可塑剤、滑沢剤、離型剤、充填剤、増量剤、ブロッキング防止剤、及び脱粘着剤など、約０．５重量％〜２重量％の少量の添加剤、ならびに約５重量％〜１０重量％の水を含んでいた。本開示に従うＰＶＯＨコポリマーフィルム（フィルムＢ）を、流延の直前に、流延溶液中のフィルム構成成分の１００重量部当り、実施例２のトレーサー組成物の０．５重量部が流延溶液に添加されることを除いては、対照フィルムＡと同じ様式で形成した。その結果、フィルムＢは、追加として、１０００ｐｐｍ（重量基準）の安息香酸デナトニウム苦味剤及び７０ｐｐｍ（重量基準）の４−メチル−７−（ジエチルアミノ）クマリンフルオロフォアを含有していた。フィルム構成成分の濃度を以下の表２にまとめる。
【表２】
0006503354.tif 000005
【０１７８】
２つのフィルム配合を使用して、蛍光試験のための連続希釈物を作成した。１０ｇのフィルムを、５０：１希釈で脱イオン水中に溶解し、フィルムＡ及びフィルムＢそれぞれの２重量％溶液を作成した。次いで、これら２つの溶液を、１００％フィルムＡ溶液〜１００％フィルムＢ溶液の範囲にわたる様々な割合で混ぜ合わせ、他の溶解フィルム構成成分と共に様々なフルオロフォア及び苦味剤濃度の２５ｇ溶液を得た。加えて、０ｐｐｍフルオロフォア及び苦味剤を有する対照溶液、０．４２ｐｐｍ〜１．４ｐｐｍフルオロフォア及び６ｐｐｍ〜２０ｐｐｍ苦味剤（すなわち、それぞれが０．０７のフルオロフォア：苦味剤比を有する）を有する他の溶液を形成した。各濃度の３ｍｌ試験試料を、マイクロピペットを使用して取り出し、石英キュベット内に置き、次いでそれをＢＬＡＣＫ−ＣＯＭＥＴ分光計（ＳｔｅｌｌａｒＮｅｔ、ＦＬから入手可能）のキュベット試料ホルダー内に入れた。この試料を、分光計内でＵＶ光に供した（検出器飽和なく反応を増加させるために選択される露光時間２７５ｍｓで、３６５ｎｍの供給源ＬＥＤ）。この試料は、様々な程度に蛍光を発し、４４０ｎｍで発光された蛍光光を収集し、分光計で測定した（図４）。図４に例証されるように、この実施例はまた、定量的分析技術が、蛍光への高いレベルの感受性（すなわち、少なくともおよそ約０．４ｐｐｍ未満）を有し、フルオロフォア濃度が約０．１ｐｐｍ異なる試料間における蛍光の違いを定量化可能に示すことができたことを示す。例証されるように、結果の分析はまた、光子数及び蛍光濃度（ｒ2＝０．９９５２）間の高いレベルの直線性を示す。
【０１７９】
先述の記載は、理解を明確にする目的で与えられるにすぎず、本発明の範囲内の修正は当業者にとっては明白であり得るため、そこから不必要な限定がなされることはないものとする。
【０１８０】
本明細書及びそれに続く特許請求項の全体にわたって、文脈上他に要求されない限り、「含む（ｃｏｍｐｒｉｓｅ）」という言葉、ならびに「含む（ｃｏｍｐｒｉｓｅｓ）」及び「含むこと（ｃｏｍｐｒｉｓｉｎｇ）」などの変形は、述べられた整数もしくはステップまたは整数もしくはステップの群を含めるが、任意の他の整数もしくはステップまたは整数もしくはステップの群を除外しないことを暗示することが理解されよう。
【０１８１】
組成物が構成成分または物質を含むと記載される本明細書の全体にわたって、別段の記載がない限り、本組成物はまた、列挙された構成成分もしくは物質の任意の組み合わせから本質的になる、またはそれらからなることが企図される。同様に、方法が特定のステップを含むと記載される場合、別段の記載がない限り、本方法はまた、列挙されたステップの任意の組み合わせから本質的になる、またはそれらからなることが企図される。本明細書に例証的に記載される本発明は、好適には、本明細書に明確に記載されない任意の要素またはステップなしに実施され得る。
【０１８２】
本明細書に記載される方法、及びそれらの個々のステップの実施は、手動で、及び／または電子装置の助けを借りて、もしくはそれによって提供される自動化により、実施され得る。プロセスは特定の実施形態に関連して記載されているが、当業者は、本方法に関連した行為をする他の方法が使用され得ることを容易に理解するものとする。例えば、様々なステップの順番は、別段の記載がない限り、本方法の範囲及び趣旨から逸脱することなく変更され得る。加えて、個々のステップの一部は、組み合わされる、省略される、または追加ステップにさらに分割され得る。
【０１８３】
本明細書内で引用される全ての特許、刊行物、及び参考文献は、これによって参照により完全に組み込まれる。本開示と組み込まれた特許、刊行物、及び参考文献との間に矛盾が存在する場合、本開示が優先されるものとする。
次に、本発明の好ましい態様を示す。
１．  トレーサー組成物であって、
水性の均一混合物であって、
水不溶性フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分散される、フルオロフォアと、
前記フルオロフォアに関する前記特徴的な励起波長を含む同じ電磁放射線に露光されたときに、前記第１の蛍光発光スペクトルとは明確に異なる第２の蛍光発光スペクトルを有する水溶性物質であって、前記混合物全体にわたって溶液中に均一に混合される、水溶性物質と、を含む、水性の均一混合物、を含む、前記トレーサー組成物。
２．  トレーサー組成物であって、
均一混合物であって、
水不溶性フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分散される、フルオロフォアと、
前記フルオロフォアに関する前記特徴的な励起波長を含む同じ電磁放射線に露光されたときに、前記第１の蛍光発光スペクトルとは明確に異なる第２の蛍光発光スペクトルを有する水溶性物質であって、前記混合物全体にわたって溶液中に均一に混合される、水溶性物質と、
前記水不溶性フルオロフォア及び前記水溶性物質のための媒体として水及び水混和性溶媒のうちの少なくとも１つと、を含む、均一混合物、を含む、前記トレーサー組成物。
３．  前記水溶性物質及び水溶性フルオロフォア類似体が、水性媒体内で組み合わされる場合、不適合混合物を形成するであろう、上記１または２に記載の前記組成物。
４．  前記水不溶性フルオロフォアが、乳濁液として前記混合物全体にわたって均一に分散される、上記１〜３のいずれかに記載の前記組成物。
５．  前記均一混合物が、１つ以上のポリアルキレンオキシド−アルキルアルコールエーテルより選択される乳化剤をさらに含む、上記４に記載の前記組成物。
６．  前記水溶性物質が苦味剤を含む、上記１〜５のいずれかに記載の前記組成物。
７．  前記苦味剤が、デナトニウム塩、オクタアセチルスクロース、キニーネ、ケルセチン、ナリンゲン、ブルシン、クアシン、及びそれらの組み合わせからなる群より選択される、上記６に記載の前記組成物。
８．  前記苦味剤が、安息香酸デナトニウム、デナトニウム糖類、塩化デナトニウム、及びそれらの組み合わせからなる群より選択されるデナトニウム塩を含む、上記６に記載の前記組成物。
９．  前記苦味剤が安息香酸デナトニウムを含む、上記６に記載の前記組成物。
１０．  前記水溶性物質が、水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、上記１〜５のいずれかに記載の前記組成物。
１１．  前記フルオロフォアが有機フルオロフォアを含む、上記１〜１０のいずれか一項に記載の前記組成物。
１２．  前記有機フルオロフォアが、アクリジン、アリールメチン、クマリン、シアニン、フルオロン、ナフタレン、オキサジアゾール、オキサジン、フェナントリジン、ピレン、ローダミン、スチルベン、スチリルビフェニル、テトラピロール、キサンテン、蛍光タンパク質、それらの誘導体、及びそれらの組み合わせからなる群より選択される、上記１１に記載の前記組成物。
１３．  前記フルオロフォアが無機フルオロフォアを含む、上記１〜１０のいずれか一項に記載の前記組成物。
１４．  前記無機フルオロフォアが量子ドットを含む、上記１３に記載の前記組成物。
１５．  前記特徴的な励起波長が、紫外線光スペクトル内にあり、
前記特徴的な発光波長が、可視光スペクトル内にある、上記１〜１４のいずれか一項に記載の前記組成物。
１６．  前記フルオロフォアが、重量に基づいて約１ｐｐｍ〜約５００００ｐｐｍの範囲内の濃度で前記組成物中に存在する、上記１〜１５のいずれか一項に記載の前記組成物。
１７．  前記水溶性物質が、重量に基づいて約１０ｐｐｍ〜約５０００００ｐｐｍの範囲内の濃度で前記組成物中に存在する、上記１〜１６のいずれか一項に記載の前記組成物。
１８．  前記組成物が、複数の異なる水溶性物質を含み、各水溶性物質が、前記フルオロフォアに関する前記特徴的な励起波長を含む前記電磁放射線に露光されたときに、前記第１の蛍光発光スペクトルとは明確に異なる蛍光発光スペクトルを有する、上記１〜１７のいずれか一項に記載の前記組成物。
１９．  前記組成物が、複数の異なるフルオロフォアを含み、各フルオロフォアが、前記フルオロフォアに関する前記特徴的な励起波長を含む前記電磁放射線に露光されたときに、他のフルオロフォア蛍光発光スペクトルとは異なる蛍光発光スペクトルを有する、上記１〜１８のいずれか一項に記載の前記組成物。
２０．  前記フルオロフォア及び前記水溶性物質が、既知の所定の比で前記組成物中に存在する、上記１〜１９のいずれか一項に記載の前記組成物。
２１．  前記フルオロフォア対前記水溶性物質の前記所定の比が、重量で約０．０００００１対１の範囲内にある、上記２０に記載の前記組成物。
２２．  水溶性ポリマー組成物であって、
固体混合物であって、
水溶性ポリマーと、
フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分布される、フルオロフォアと、
前記フルオロフォアに関する前記特徴的な励起波長を含む前記電磁放射線に露光されたときに、前記第１の蛍光発光スペクトルとは明確に異なる第２の蛍光発光スペクトルを有する物質であって、前記混合物全体にわたって均一に分布される、物質と、を含む、固体混合物を含み、
前記水溶性ポリマー組成物が、水中に溶解及び混合されて溶解組成物を形成し、前記フルオロフォアが、前記溶解組成物全体にわたって均一に分布されたままである、前記水溶性ポリマー組成物。
２３．  前記フルオロフォアが、水不溶性であり、前記溶解組成物全体にわたって均一に分散されたままであり、
前記物質が、水溶性であり、前記溶解組成物全体にわたって溶液中に均一に混合されたままである、上記２２に記載の前記組成物。
２４．  前記固体混合物が、前記フルオロフォアを前記溶解組成物全体にわたって均一に分散された乳濁液として維持する乳化剤をさらに含む、上記２３に記載の前記組成物。
２５．  前記フルオロフォアが、水溶性であり、前記溶解組成物全体にわたって溶液中に均一に混合されたままであり、
前記物質が、水不溶性であり、前記溶解組成物全体にわたって均一に分散されたままである、上記２２に記載の前記組成物。
２６．  前記固体混合物が、前記物質を前記溶解組成物全体にわたって均一に分散された乳濁液として維持する乳化剤をさらに含む、上記２５に記載の前記組成物。
２７．  前記フルオロフォア及び前記物質が、水溶性であり、前記溶解組成物全体にわたって溶液中に均一に混合されたままである、上記２２に記載の前記組成物。
２８．  前記フルオロフォア及び前記物質が、水不溶性であり、前記溶解組成物全体にわたって均一に分散されたままである、上記２２に記載の前記組成物。
２９．  前記固体混合物が、前記フルオロフォア及び前記物質を前記溶解組成物全体にわたって均一に分散された乳濁液として維持する少なくとも１つの乳化剤をさらに含む、上記２８に記載の前記組成物。
３０．  前記水溶性ポリマーが、２０℃で約４ｃＰ〜約４０ｃＰの範囲内の４％溶液粘度を有する、上記２２〜２９のいずれか一項に記載の前記組成物。
３１．  前記水溶性ポリマーが、ポリビニルアルコール、ポリエチレンイミン、ポリビニルピロリドン、ポリアルキレンオキシド、ポリアクリルアミド、セルロースエーテル、セルロースエステル、セルロースアミド、ポリビニルアセテート、ポリアミド、ゼラチン、メチルセルロース、カルボキシメチルセルロース及びそれらの塩、デキストリン、エチルセルロース、ヒドロキシエチルセルロース、ヒドロキシプロピルメチルセルロース、マルトデキストリン、それらのコポリマー、それらのブレンド物、ならびにそれらの組み合わせからなる群より選択される、上記２２〜３０のいずれか一項に記載の前記組成物。
３２．  前記水溶性ポリマーがポリビニルアルコールを含む、上記２２〜３０のいずれか一項に記載の前記組成物。
３３．  前記ポリビニルアルコールが、約７５％〜約９９％の範囲内の加水分解度を有する、上記３２に記載の前記組成物。
３４．  前記ポリビニルアルコールが、ビニルアルコールモノマー繰り返し単位及びビニルアセテートモノマー繰り返し単位から本質的になるポリビニルアルコールコポリマーを含む、上記３２に記載の前記組成物。
３５．  前記ポリビニルアルコールが、ビニルアルコールモノマー繰り返し単位、ビニルアセテートモノマー繰り返し単位、及び少なくとも１つの他の種類のモノマー繰り返し単位を含むポリビニルアルコールコポリマーを含む、上記３２に記載の前記組成物。
３６．  前記物質が苦味剤を含む、上記２２〜３５のいずれかに記載の前記組成物。
３７．  前記苦味剤が、デナトニウム塩、オクタアセチルスクロース、キニーネ、ケルセチン、ナリンゲン、ブルシン、クアシン、及びそれらの組み合わせからなる群より選択される、上記３６に記載の前記組成物。
３８．  前記苦味剤が、安息香酸デナトニウム、デナトニウム糖類、塩化デナトニウム、及びそれらの組み合わせからなる群より選択されるデナトニウム塩を含む、上記３６に記載の前記組成物。
３９．  前記苦味剤が安息香酸デナトニウムを含む、上記３６に記載の前記組成物。
４０．  前記物質が、追加の水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、辛味剤、及びそれらの組み合わせからなる群より選択される、上記２２〜３５のいずれかに記載の前記組成物。
４１．  前記フルオロフォアが有機フルオロフォアを含む、上記２２〜４０のいずれか一項に記載の前記組成物。
４２．  前記有機フルオロフォアが、アクリジン、アリールメチン、クマリン、シアニン、フルオロン、ナフタレン、オキサジアゾール、オキサジン、フェナントリジン、ピレン、ローダミン、スチルベン、スチリルビフェニル、テトラピロール、キサンテン、蛍光タンパク質、それらの誘導体、及びそれらの組み合わせからなる群より選択される、上記４１に記載の前記組成物。
４３．  前記フルオロフォアが無機フルオロフォアを含む、上記２２〜４０のいずれか一項に記載の前記組成物。
４４．  前記無機フルオロフォアが量子ドットを含む、上記４３に記載の前記組成物。
４５．  前記特徴的な励起波長が、紫外線光スペクトル内にあり、
前記特徴的な発光波長が、可視光スペクトル内にある、上記２２〜４４のいずれか一項に記載の前記組成物。
４６．  前記フルオロフォア及び前記物質が、既知の所定の比で前記組成物中に存在する、上記２２〜４５のいずれか一項に記載の前記組成物。
４７．  前記フルオロフォア対前記物質の前記所定の比が、重量で約０．０００００１対１の範囲内にある、上記４６に記載の前記組成物。
４８．  前記フルオロフォアが、重量で約１ｐｐｍ〜約５００ｐｐｍの範囲内の濃度で前記組成物中に存在する、上記２２〜４７のいずれか一項に記載の前記組成物。
４９．  前記物質が、重量で約１０ｐｐｍ〜約１００００ｐｐｍの範囲内の濃度で前記組成物中に存在する、上記２２〜４８のいずれか一項に記載の前記組成物。
５０．  前記水溶性ポリマー組成物が、水溶性フィルムの形態にある、上記２２〜４９のいずれか一項に記載の前記組成物。
５１．  複数の水溶性ポリマー組成物であって、
上記２２〜５０のいずれか一項に記載の２つ以上の水溶性ポリマー組成物を含み、
各水溶性ポリマー組成物が、少なくとも１つの態様において、互いに異なる水溶性ポリマー組成物であり、
各水溶性ポリマー組成物が、同じフルオロフォア及び同じ物質を含む、前記複数の水溶性ポリマー組成物。
５２．  前記フルオロフォア及び前記物質が、各水溶性ポリマー組成物中に同じ所定の比で存在する、上記５１に記載の前記複数の水溶性ポリマー組成物。
５３．  内部容器容積を画定する容器の形態にある、上記２２〜５０のいずれか一項に記載の水溶性ポリマー組成物と、
前記内部容器容積内に含有される組成物と、を含む、物品。
５４．  前記組成物が洗浄用組成物を含む、上記５３に記載の前記物品。
５５．  前記組成物が洗剤組成物を含む、上記５３に記載の前記物品。
５６．  前記洗剤組成物が、前記水溶性ポリマー組成物と同じフルオロフォアを含む、上記５５に記載の前記物品。
５７．  前記フルオロフォアが光学的増白剤を含む、上記５５に記載の前記物品。
５８．  前記洗剤組成物が、前記水溶性ポリマー組成物中に前記フルオロフォアを実質的に含まない、上記５５に記載の前記物品。
５９．  前記水溶性ポリマー組成物が、水溶性フィルムの形態にあり、
前記容器が、水溶性パウチの形態にある、上記５３〜５８のいずれか一項に記載の前記物品。
６０．  水溶性ポリマー組成物を形成するための方法であって、
上記１〜２１のいずれか一項に記載の水溶性ポリマー及びトレーサー組成物を混合して、ポリマー−フルオロフォア−物質ブレンド物を形成することと、
前記ポリマー−フルオロフォア−物質ブレンド物を固体水溶性ポリマー組成物に形成することであって、前記フルオロフォア及び前記物質が、前記水溶性ポリマー組成物全体にわたって均一に分布される、形成することと、を含む、前記方法。
６１．  水溶性ポリマー組成物を形成するための方法であって、
水溶性ポリマー及びトレーサー組成物を混合して、ポリマー−フルオロフォア−物質ブレンド物を形成することであって、前記トレーサー組成物が、均一混合物であって、
フルオロフォアであって、前記フルオロフォアに関する特徴的な励起波長を含む電磁放射線に露光されたときに、少なくとも１つの特徴的な発光波長を含む第１の蛍光発光スペクトルを有し、前記混合物全体にわたって均一に分布される、フルオロフォアと、
前記フルオロフォアに関する前記特徴的な励起波長を含む前記電磁放射線に露光されたときに、前記第１の蛍光発光スペクトルとは明確に異なる第２の蛍光発光スペクトルを有する物質であって、前記混合物全体にわたって均一に分布される、物質と、を含む、均一混合物を含む、形成することと、
前記ポリマー−フルオロフォア−物質ブレンド物を固体水溶性ポリマー組成物に形成することであって、前記フルオロフォア及び前記物質が、前記水溶性ポリマー組成物全体にわたって均一に分布される、形成することと、を含む、前記方法。
６２．  前記均一混合物が、前記フルオロフォア及び前記物質のための媒体として水及び水混和性溶媒のうちの少なくとも１つをさらに含む、上記６１に記載の前記方法。
６３．  前記ポリマー−フルオロフォア−物質ブレンド物が、追加の水溶性ポリマー、可塑剤、可塑剤相溶化剤、滑沢剤、離型剤、充填剤、増量剤、架橋剤、ブロッキング防止剤、酸化防止剤、脱粘着剤、消泡剤、ナノ粒子、漂白剤、界面活性剤、及びそれらの組み合わせからなる群より選択される１つ以上の構成成分をさらに含む、上記６０〜６２のいずれか一項に記載の前記方法。
６４．  前記ポリマー−フルオロフォア−物質ブレンド物が、前記水溶性ポリマーが中に溶解した水溶液の形態にあり、
前記水溶性ポリマー組成物を形成することが、前記ポリマー−フルオロフォア−物質ブレンド物を溶液流延して、前記水溶性ポリマー組成物をフィルムとして形成することを含む、上記６０〜６３のいずれか一項に記載の前記方法。
６５．  前記水溶性ポリマー組成物を形成することが、前記ポリマー−フルオロフォア−物質ブレンド物を溶融加工することを含む、上記６０〜６３のいずれか一項に記載の前記方法。
６６．  フルオロフォアを検出するための方法であって、
上記２２〜５０のいずれか一項に記載の水溶性ポリマー組成物または上記５３〜５９のいずれか一項に記載の物品を提供することと、
前記組成物または物品を、前記フルオロフォアに関する前記特徴的な励起波長を含む入射電磁放射線に露光することと、
前記組成物または物品から発光された電磁放射線を検出することであって、前記発光された電磁放射線が、前記フルオロフォアの前記少なくとも１つの特徴的な発光波長に相当し、前記特徴的な発光波長の陽性検出が、前記物質が前記組成物または物品内に存在することを示唆する、検出することと、を含む、前記方法。
６７．  前記組成物または物品を入射電磁放射線に露光することが、
前記水溶性ポリマー組成物または物品の少なくとも一部分を水中に溶解して、溶解組成物を形成することと、
前記溶解組成物を前記フルオロフォアに関する前記特徴的な励起波長を含む前記入射電磁放射線に露光して、前記発光された電磁放射線を生成することと、を含む、上記６６に記載の前記方法。
６８．  前記溶解組成物が、約０．１重量％〜約１０重量％の前記水溶性ポリマー組成物または物品部分を含む、上記６７に記載の前記方法。
６９．  前記組成物または物品内に存在する前記フルオロフォアの量を定量的に決定することであって、前記フルオロフォア及び前記物質が前記組成物または物品内に既知の所定の比で存在するとき、前記フルオロフォア量が、前記組成物または物品内に存在する前記物質の量を示唆する、決定すること、をさらに含む、上記６６または６８に記載の前記方法。
７０．  前記少なくとも１つの励起波長及び前記少なくとも１つの発光波長が、紫外線−可視−赤外線光スペクトル内にある、上記６６〜６９のいずれかに記載の前記方法。
７１．  前記少なくとも１つの励起波長が、前記紫外線光スペクトル内にあり、
前記少なくとも１つの発光波長が、前記可視光スペクトル内にある、上記６６〜６９のいずれかに記載の前記方法。
７２．  分光光度計を用いて前記試料から前記発光された電磁放射線を検出することを含む、上記６６〜７１のいずれかに記載の前記方法。
７３．  前記少なくとも１つの発光波長が前記可視光スペクトル内にあるとき、人間の目による目視検査によって前記試料から前記発光された電磁放射線を検出することを含む、上記６６〜７２のいずれかに記載の前記方法。
７４．  前記物質についての前記定性的または定量的決定を前記物質についての１つ以上の品質管理基準と比較することと、
前記比較に基づいて前記組成物または物品を拒絶または容認することと、をさらに含む、上記６６〜７３のいずれかに記載の前記方法。
【図１Ａ】
0006503354.tif 000006
【図１Ｂ】
0006503354.tif 000007
【図２】
0006503354.tif 000008
【図３】
0006503354.tif 000009
【図４】
0006503354.tif 000010